(57)【要約】      （修正有）【課題】衛生洗浄装置において、装置のコンパクト化を図るとともに、局部洗浄ノズル周りの給水チューブや電線等の保持作業について良好な作業性を得る。【解決手段】衛生洗浄装置であって、ノズル３１と、ノズル支持体３４と、ノズル支持体３４に設けられたノズル洗浄室３２と、ノズル３１と一体的に移動するように設けられた流路切替弁と、ユニット給水チューブ５１と、ノズル洗浄用チューブ５２と、ワイヤハーネス５３と、を備え、ノズル支持体３４は、ノズル洗浄用チューブ５２の一部を保持するチューブ用保持部１０２と、ワイヤハーネス５３の一部を保持する電線用保持部１０３と、を有する。【選択図】図７
2020133305.tif 000002
【特許請求の範囲】
【請求項１】
洗浄水により人体の局部を洗浄する衛生洗浄装置であって、
装置本体部の筐体をなすケーシングと、
前記ケーシング内に進退移動可能に設けられ、給水源から供給された水を人体の局部に対して吐出する局部洗浄ノズルと、
前記ケーシングに対して着脱可能に設けられ、前記局部洗浄ノズルを支持するノズル支持体と、
前記ノズル支持体に設けられ、前記給水源から供給された水により前記局部洗浄ノズルを洗浄するノズル洗浄部と、
前記局部洗浄ノズルと一体的に移動するように設けられ、水の供給先を切り替える流路に前記局部洗浄ノズルへの給水流路および前記ノズル洗浄部への給水流路を含む流路切替部と、
前記給水源からの水を前記流路切替部に供給するための第１の給水チューブと、
前記流路切替部から前記ノズル洗浄部に給水するための第２の給水チューブと、
前記流路切替部の駆動源から延出した流路切替部用電線と、を備え、
前記ノズル支持体は、
前記局部洗浄ノズルの進退動作にともなう前記第２の給水チューブの可動範囲を制限するために前記第２の給水チューブの一部を保持するチューブ用保持部と、
前記局部洗浄ノズルの進退動作にともなう前記流路切替部用電線の可動範囲を制限するために前記流路切替部用電線の一部を保持する電線用保持部と、を有する
ことを特徴とする衛生洗浄装置。
【請求項２】
前記チューブ用保持部および前記電線用保持部は、前記局部洗浄ノズルの一側方側に設けられている
ことを特徴とする請求項１に記載の衛生洗浄装置。
【請求項３】
前記チューブ用保持部および前記電線用保持部は、前記局部洗浄ノズルの進退動作の過程で、前記第１の給水チューブおよび前記第２の給水チューブによって前記流路切替部用電線が変形しないように設けられている
ことを特徴とする請求項２に記載の衛生洗浄装置。
【請求項４】
前記第１の給水チューブおよび前記第２の給水チューブ、並びに前記流路切替部用電線は、前記局部洗浄ノズルに近い側を内側とした場合、前記流路切替部用電線の前記局部洗浄ノズルの進退動作にともなって移動する可動部分が、両前記給水チューブそれぞれの前記可動部分よりも外側に位置するように配されている
ことを特徴とする請求項２または請求項３に記載の衛生洗浄装置。
【請求項５】
前記電線用保持部は、前記局部洗浄ノズルに対して、前記チューブ用保持部よりも外側方に配置されており、
前記流路切替部用電線は、前記局部洗浄ノズルに対して、前記第２の給水チューブの外側方の位置にて前記第２の給水チューブと並走するように配置されている
ことを特徴とする請求項２〜４のいずれか１項に記載の衛生洗浄装置。
【請求項６】
前記チューブ用保持部と前記電線用保持部との間に、前記第２の給水チューブと前記流路切替部用電線とが互いに干渉することを防止するための仕切部が設けられている
ことを特徴とする請求項２〜５のいずれか１項に記載の衛生洗浄装置。
【請求項７】
前記ノズル支持体は、
前記局部洗浄ノズルの一側方側に設けられ、前記ケーシングに設けられた被係合部に係合する係合部と、
前記ケーシングに設けられた被嵌合部に嵌合する嵌合部と、を有する
ことを特徴とする請求項２〜６のいずれか１項に記載の衛生洗浄装置。
【請求項８】
前記嵌合部は、前記装置本体部の平面視における前記局部洗浄ノズルの長手方向について、前記係合部よりも一側に設けられており、
前記ノズル支持体は、前記ケーシングに対し、前記長手方向の一側の端部を係止させた状態で、前記長手方向の他側を押さえ付けられることで、前記係合部を前記被係合部に係合させ、前記ケーシングに取り付けられた状態となるように構成されている
ことを特徴とする請求項７に記載の衛生洗浄装置。
【発明の詳細な説明】
【技術分野】
【０００１】
本発明は、洗浄水により人体の局部を洗浄する衛生洗浄装置に関する。
【背景技術】
【０００２】
洋式腰掛便器等の便器に搭載されて人体の局部を洗浄する衛生洗浄装置は、その装置本体部から便器のボウル部内等に対して進退可能に設けられて人体の局部に対して洗浄水を吐出する局部洗浄ノズル（以下単に「ノズル」ともいう。）を有する。衛生洗浄装置には、ノズルに対し、ノズルの外面の洗浄、即ち胴体洗浄を行うためのノズル洗浄室を設けたものがある。ノズル洗浄室への給水流路は、ノズルに対する給水流路とともに、ノズルの上流側に設けられた流路切替弁によって切り替えられる給水流路に含まれる。
【０００３】
このようにノズル洗浄室および流路切替弁を備えた構成の衛生洗浄装置には、ノズル、ノズル洗浄室、および流路切替弁を、取付台等の所定の支持部材に支持させることで、一体的なノズルユニットとして構成したものがある（例えば、特許文献１参照。）。ノズルユニットによれば、装置本体部のケーシング内にノズルを設けるに際し、例えばケーシングのベースプレートに支持部材を固定することで、ノズルが、ノズル洗浄室や流路切替弁等とともに一体的にベースプレートに取り付けられる。
【０００４】
ノズルユニットにおいて、ノズルは、便器に対して進退動作するため、支持部材に対して移動可能に設けられる。また、流路切替弁は、例えばノズルの後側に配置され、ノズルと一体的に進退動作するように設けられる。これに対し、ノズル洗浄室は、支持部材側に固定され、ノズルの進退動作にかかわらず変位しないように設けられる。
【先行技術文献】
【特許文献】
【０００５】
【特許文献１】特開２０１６−１５６１６２号公報
【発明の概要】
【発明が解決しようとする課題】
【０００６】
上述したようなノズルユニットにおいては、流路切替弁からノズル洗浄室に水を供給するための給水流路をなす部材として、流路切替弁とノズル洗浄室とをつなぐ洗浄室用の給水チューブが設けられる。また、流路切替弁は、その弁機構の駆動するためのモータ等の駆動源を有し、流路切替弁には、駆動源に対する給電や制御信号の受信等のための流路切替弁用の電線（ワイヤハーネス）が接続される。
【０００７】
洗浄室用の給水チューブおよび流路切替弁用の電線は、いずれも一端側をノズルと一体的に進退動作する流路切替弁につなげていることから、ノズルの進退動作にともなって移動する。そこで、これらの給水チューブおよび電線を所定の可動空間内の範囲で適正に移動させるため、給水チューブおよび電線の一部を周囲の部材に保持させ、ノズルの進退動作にともなう給水チューブおよび電線の可動範囲を制限することが行われている。
【０００８】
近年、衛生洗浄装置は多機能でありながら、デザイン性向上のために装置の小型化が望まれており、傾向として装置本体部のケーシング内における各種装置・機器の密集の度合が大きくなっている。このため、洗浄室用の給水チューブおよび流路切替弁用の電線を周囲の部材に保持させる作業について、ケーシング内において作業スペースの確保が難しい。つまり、装置のコンパクト化が進むと、給水チューブおよび電線の保持作業について、十分な作業スペースが得られず、作業性が悪化するという問題がある。
【０００９】
本発明は、上記のような問題点に鑑みてなされたものであり、装置のコンパクト化を図ることができるとともに、局部洗浄ノズル周りの給水チューブや電線等の保持作業について良好な作業性を得ることができる衛生洗浄装置を提供することを目的とする。
【課題を解決するための手段】
【００１０】
本発明に係る衛生洗浄装置は、洗浄水により人体の局部を洗浄する衛生洗浄装置であって、装置本体部の筐体をなすケーシングと、前記ケーシング内に進退移動可能に設けられ、給水源から供給された水を人体の局部に対して吐出する局部洗浄ノズルと、前記ケーシングに対して着脱可能に設けられ、前記局部洗浄ノズルを支持するノズル支持体と、前記ノズル支持体に設けられ、前記給水源から供給された水により前記局部洗浄ノズルを洗浄するノズル洗浄部と、前記局部洗浄ノズルと一体的に移動するように設けられ、水の供給先を切り替える流路に前記局部洗浄ノズルへの給水流路および前記ノズル洗浄部への給水流路を含む流路切替部と、前記給水源からの水を前記流路切替部に供給するための第１の給水チューブと、前記流路切替部から前記ノズル洗浄部に給水するための第２の給水チューブと、前記流路切替部の駆動源から延出した流路切替部用電線と、を備え、前記ノズル支持体は、前記局部洗浄ノズルの進退動作にともなう前記第２の給水チューブの可動範囲を制限するために前記第２の給水チューブの一部を保持するチューブ用保持部と、前記局部洗浄ノズルの進退動作にともなう前記流路切替部用電線の可動範囲を制限するために前記流路切替部用電線の一部を保持する電線用保持部と、を有するものである。
【００１１】
このような構成の衛生洗浄装置によれば、装置のコンパクト化を図ることができるとともに、局部洗浄ノズル周りのチューブや電線等の保持作業について良好な作業性を得ることができる。
【００１２】
本発明に係る衛生洗浄装置の他の態様は、前記衛生洗浄装置において、前記チューブ用保持部および前記電線用保持部は、前記局部洗浄ノズルの一側方側に設けられているものである。
【００１３】
このような構成の衛生洗浄装置によれば、ケーシング内における局部洗浄ノズル周りの空間を有効に利用することができ、ケーシングの小型化を図ることができる。
【００１４】
本発明に係る衛生洗浄装置の他の態様は、前記衛生洗浄装置において、前記チューブ用保持部および前記電線用保持部は、前記局部洗浄ノズルの進退動作の過程で、前記第１の給水チューブおよび前記第２の給水チューブによって前記流路切替部用電線が変形しないように設けられているものである。
【００１５】
このような構成の衛生洗浄装置によれば、局部洗浄ノズルの進退動作にともなう給水チューブと流路切替部用電線の干渉を回避することができ、流路切替部用電線の劣化を抑制することができる。
【００１６】
本発明に係る衛生洗浄装置の他の態様は、前記衛生洗浄装置において、前記第１の給水チューブおよび前記第２の給水チューブ、並びに前記流路切替部用電線は、前記局部洗浄ノズルに近い側を内側とした場合、前記流路切替部用電線の前記局部洗浄ノズルの進退動作にともなって移動する可動部分が、両前記給水チューブそれぞれの前記可動部分よりも外側に位置するように配されているものである。
【００１７】
このような構成の衛生洗浄装置によれば、局部洗浄ノズルの進退動作において、給水チューブが流路切替部用電線に対して変形を生じさせるように干渉することを防止することができるので、局部洗浄ノズルの進退動作にともなう流路切替部用電線の劣化を抑制することができる。
【００１８】
本発明に係る衛生洗浄装置の他の態様は、前記衛生洗浄装置において、前記電線用保持部は、前記局部洗浄ノズルに対して、前記チューブ用保持部よりも外側方に配置されており、前記流路切替部用電線は、前記局部洗浄ノズルに対して、前記第２の給水チューブの外側方の位置にて前記第２の給水チューブと並走するように配置されているものである。
【００１９】
このような構成の衛生洗浄装置によれば、局部洗浄ノズルの進退動作において、第２の給水チューブが流路切替部用電線に対して変形を生じさせるように干渉することを防止することができるとともに、第２の給水チューブおよび流路切替部用電線の配設空間を有効利用することができ、装置のコンパクト化に寄与することができる。
【００２０】
本発明に係る衛生洗浄装置の他の態様は、前記衛生洗浄装置において、前記チューブ用保持部と前記電線用保持部との間に、前記第２の給水チューブと前記流路切替部用電線とが互いに干渉することを防止するための仕切部が設けられているものである。
【００２１】
このような構成の衛生洗浄装置によれば、第２の給水チューブと流路切替部用電線とを互いに近接させて配置した場合であっても、これらが互いに干渉することを防止することができるので、装置のコンパクト化に寄与することができる。
【００２２】
本発明に係る衛生洗浄装置の他の態様は、前記衛生洗浄装置において、前前記ノズル支持体は、前記局部洗浄ノズルの一側方側に設けられ、前記ケーシングに設けられた被係合部に係合する係合部と、前記ケーシングに設けられた被嵌合部に嵌合する嵌合部と、を有するものである。
【００２３】
このような構成の衛生洗浄装置によれば、ノズル支持体の取外しの際の作業性を向上することができ、ノズルユニットのメンテナンス性を向上することができる。
【００２４】
本発明に係る衛生洗浄装置の他の態様は、前記衛生洗浄装置において、前記嵌合部は、前記装置本体部の平面視における前記局部洗浄ノズルの長手方向について、前記係合部よりも一側に設けられており、前記ノズル支持体は、前記ケーシングに対し、前記長手方向の一側の端部を係止させた状態で、前記長手方向の他側を押さえ付けられることで、前記係合部を前記被係合部に係合させ、前記ケーシングに取り付けられた状態となるように構成されているものである。
【００２５】
このような構成の衛生洗浄装置によれば、ノズルユニットの取付けにおいて、嵌合部による嵌合作用によってノズル支持体が左右方向について位置決めされた状態で、係合部を係合させることができるので、ノズルユニットの取付作業性を向上することができる。
【発明の効果】
【００２６】
本発明によれば、装置のコンパクト化を図ることができるとともに、局部洗浄ノズル周りの給水チューブや電線等の保持作業について良好な作業性を得ることができる。
【図面の簡単な説明】
【００２７】
【図１】本発明の一実施形態に係る衛生洗浄装置を備えたトイレ装置を示す斜視図である。
【図２】本発明の一実施形態に係る衛生洗浄装置の構成を示すブロック図である。
【図３】本発明の一実施形態に係る衛生洗浄装置における装置・機器の配置構成を示す平面図である。
【図４】本発明の一実施形態に係る衛生洗浄装置の熱交換器およびノズルユニットを示す平面図である。
【図５】本発明の一実施形態に係る衛生洗浄装置の熱交換器およびノズルユニットを示す正面図である。
【図６】本発明の一実施形態に係る衛生洗浄装置におけるケーシングのベースプレートとノズルユニットとの分離状態を示す斜視図である。
【図７】本発明の一実施形態に係るノズルユニットを示す左方斜視図である。
【図８】本発明の一実施形態に係るノズルユニットを示す右方斜視図である。
【図９】本発明の一実施形態に係るノズルユニットを示す平面図である。
【図１０】本発明の一実施形態に係るノズルユニットを示す正面図である。
【図１１】本発明の一実施形態に係るノズルユニットを示す左側面図である。
【図１２】本発明の一実施形態に係るノズルユニットを示す右側面図である。
【図１３】本発明の一実施形態に係るノズルユニットを示す背面図である。
【図１４】本発明の一実施形態に係るノズルユニットを示す底面図である。
【図１５】本発明の一実施形態に係るノズルユニットの支持体を示す左方斜視図である。
【図１６】本発明の一実施形態に係るノズルユニットの支持体を示す右方斜視図である。
【図１７】本発明の一実施形態に係るノズル支持体の係合構造を示す斜視断面図である。
【図１８】本発明の一実施形態に係るノズル支持体の嵌合構造を示す斜視断面図である。
【図１９】本発明の一実施形態に係るベースプレートにおけるノズル支持体の取付部分を示す斜視図である。
【図２０】本発明の一実施形態に係るノズルユニットの着脱についての説明図である。
【図２１】本発明の一実施形態に係るノズル進退動作における給水チューブおおよび電線の動作態様の一例を示す図である。
【図２２】ノズル進退動作における給水チューブおおよび電線の動作態様の第１の比較例を示す図である。
【図２３】ノズル進退動作における給水チューブおおよび電線の動作態様の第２の比較例を示す図である。
【発明を実施するための形態】
【００２８】
本発明は、装置本体部のケーシングに対する一体的な取付体として、局部洗浄ノズルをノズル本体として有するノズルユニットを構成し、ノズルユニットにおいて、ノズル本体の進退動作にともなう給水チューブおよび電線の可動範囲を制限すべく、ノズル本体を支持する支持体に給水チューブおよび電線の一部を保持する保持部を設けたものである。このような構成により、本発明は、装置のコンパクト化と給水チューブおよび電線の保持作業性の向上との両立を実現しようとするものである。以下、本発明の実施の形態について図面を参照して説明する。本実施形態では、衛生洗浄装置が、トイレ装置において洋式腰掛便器の上に設置された構成を例にとって説明する。
【００２９】
図１に示すように、本実施形態に係るトイレ装置１は、洗浄水により人体（使用者）の局部を洗浄する衛生洗浄装置２と、洋式腰掛便器である便器３とを備える。衛生洗浄装置２は、トイレ装置１において、便器３の上に設置された状態で設けられている。衛生洗浄装置２は、便器３に対して着脱可能に取り付けられた構成であってもよく、便器３と一体的に設けられた構成であってもよい。
【００３０】
便器３は、上側を開放側とした凹状のボウル部３ａを有する。便器３は、ボウル部３ａにおいてトイレ装置１の使用者の尿や便などの排泄物を受ける。
【００３１】
衛生洗浄装置２は、筐体をなすケーシング５内に各種の装置・機器を内蔵した装置本体部４と、装置本体部４のケーシング５に対して回動可能に支持された便座６および便蓋７とを有する。衛生洗浄装置２は、便器３に対して、装置本体部４をボウル部３ａの後方の上側に位置させ、便座６および便蓋７の回動動作によってボウル部３ａの上側の開放部を開閉するように設けられる。
【００３２】
ケーシング５は、その底部をなすベースプレート５ａ（図３参照）と、ベースプレート５ａを上側から覆うケースカバー５ｂとを有する。ベースプレート５ａ上に、ケーシング５に内蔵される各種の装置・機器が設置されている。
【００３３】
なお、トイレ装置１は、装置本体部４の後方に、洗浄水を貯溜する貯水タンクを備えたロータンク式のものであってもよい。この場合、装置本体部４のケーシング５のケースカバー５ｂは、例えば、内部に貯水タンクを収容するタンクカバー部分とともに、一体のタンクカバーを構成するか、あるいは、タンクカバー部分とは別体の部材として設けられ、タンクカバー部分をなす部材とともにタンクカバーを構成する。
【００３４】
衛生洗浄装置２の構成ついて、図２および図３を参照して説明する。なお、図２は、洗浄水の供給経路の構成と制御構成を併せて示しており、図２では、水の流れを実線で、信号または電気の流れを破線でそれぞれ示している。また、図３に示すように、衛生洗浄装置２における前後・左右・上下方向は、図１に示すトイレ装置１における前後・左右・上下方向に対応している。
【００３５】
図２に示すように、衛生洗浄装置２は、制御部１０と、人体検知センサ１２と、着座検知センサ１３と、洗浄水供給部１４と、ノズルユニット１５とを有する。これらの構成は、ケーシング５に内蔵されている。また、衛生洗浄装置２は、例えばリモートコントローラとして設けられる操作部（図示略）を有する。
【００３６】
制御部１０は、例えば、ＣＰＵ等の演算処理装置やＲＡＭ等の記憶装置等を備えたものであり、洗浄水供給部１４やノズルユニット１５等の各部の動作を制御する。制御部１０は、例えば使用者による操作部に対する操作に基づく操作部からの入力信号に応じて、各部の動作を制御する。なお、制御部１０と操作部との間の通信方式は、有線であっても無線であってもよい。
【００３７】
人体検知センサ１２は、トイレ装置１が設置されたトイレルーム内に入室した使用者を検知するセンサである。人体検知センサ１２は、その検知信号を制御部１０に対して出力する。人体検知センサ１２は、例えば、赤外線信号を利用した焦電センサや、マイクロ波を用いたマイクロ波ドップラセンサ等の電波センサである。
【００３８】
着座検知センサ１３は、使用者の着座として、便座６に着座する直前の使用者や便座６に着座した状態の使用者を検知するセンサである。着座検知センサ１３は、その検知信号を制御部１０に対して出力する。着座検知センサ１３は、例えば、赤外線投受光式の測距センサや、便座６に着座した使用者の荷重を検知するスイッチである。
【００３９】
洗浄水供給部１４は、水道等の所定の給水源９からの給水を受け、供給された洗浄水（水）を、ノズルユニット１５へと供給する。洗浄水供給部１４は、バルブユニット２１と、熱交換器２２と、電解槽２３と、バキュームブレーカ（ＶＢ）２４とを有する。
【００４０】
バルブユニット２１は、例えば電磁弁により構成された流路開閉弁やストレーナ等を含み、洗浄水供給部１４に供給される水の流路を開閉する。つまり、バルブユニット２１は、流路開閉弁の開閉動作によって、給水源９から供給される洗浄水の給水と止水とを切り替える。バルブユニット２１は、制御部１０からの制御信号に基づいて開閉動作する。
【００４１】
熱交換器２２は、バルブユニット２１の下流側に設けられている。熱交換器２２は、給水源９からの水の供給を受けるタンク２６を有し、タンク２６内の水を加熱する加熱装置である。図３に示すように、熱交換器２２は、タンク２６内に加熱源として発熱体であるヒータ２７を有し、ヒータ２７により、給水源９から供給された洗浄水を加熱して温水とする。つまり、熱交換器２２は、タンク２６を貯湯タンクとする貯湯加熱式のものである。
【００４２】
熱交換器２２により得られる温水の温度は、例えば操作部の操作により設定される。本実施形態では、ヒータ２７は、直線棒状に構成されたシーズヒータであり、タンク２６内の底部付近に配置されている。ヒータ２７は、制御部１０からの制御信号に基づいて通電により発熱する。
【００４３】
タンク２６は、所定の固定構造により、ベースプレート５ａの所定の位置に固定されている。本実施形態では、例えば、タンク２６は、その下部の前側において外側（前方）へ向けて突設された固定用突片部２６ａを有し、この固定用突片部２６ａを、ベースプレート５ａ上に立設されたボス部５ｅに対してボルト２６ｃにより固定させている。
【００４４】
タンク２６は、右前側の下部に、流入口部２８を有する。流入口部２８は、左側に向けて開口した管状の接続管部２８ａを有し、接続管部２８ａに、タンク２６に対する給水用のチューブ等の配管部材の接続を受ける。すなわち、バルブユニット２１を経た水が配管部材によって導かれ、流入口部２８からタンク２６内に供給される。タンク２６の内部には、流入口部２８の近傍の部位に整流板が設けられており、流入口部２８から流入した水は、整流板を介してタンク２６内に溜まっていき、タンク２６内の水位を上昇させる。
【００４５】
このように熱交換器２２を有する洗浄水供給部１４から各供給先に供給される洗浄水には、給水源から供給されたままの水と、熱交換器２２によって加熱された温水とが含まれる。なお、熱交換器２２は、例えばセラミックヒータ等の他の加熱源を用いたものであってもよい。
【００４６】
電解槽２３は、熱交換器２２の下流側に設けられている。電解槽２３は、一対の電極を有し、熱交換器２２側から供給された水を電極間にて電気分解する。電解槽２３は、洗浄水に含まれる塩素イオンを電気分解することにより、機能水として、次亜塩素酸（ＨＣｌＯ）を含む水を生成する。
【００４７】
電解槽２３における通電動作は、制御部１０からの制御信号に基づいて制御される。なお、電解槽２３は、供給された水を電気分解することなく下流側へと流すこともできる。電解槽２３は、所定の配線により制御部１０に接続されている。
【００４８】
バキュームブレーカ２４は、大気開放された開放部を有する大気解放式のものであり、電解槽２３から供給される水の逆流を防止する。バキュームブレーカ２４を通過した水は、ノズルユニット１５へと供給される。
【００４９】
ノズルユニット１５は、ノズル本体をなす局部洗浄ノズルであるノズル３１と、ノズル洗浄部としてのノズル洗浄室３２と、流路切替部としての流路切替弁３３と、ノズル３１を支持するノズル支持体３４と、ノズル駆動部３５とを有する。
【００５０】
ノズル３１は、ケーシング５内に進退移動可能に設けられ、給水源９から供給された水（洗浄水）を人体の局部に対して吐出する。ノズル３１は、略円筒棒状に構成され、平面視でその長手方向が前後方向となるように設けられている。ノズル３１は、ノズル駆動部３５により、ケーシング５内から便器３のボウル部３ａ内に対して進退可能（出没可能）に設けられている（図３、矢印Ａ１参照）。
【００５１】
ノズル３１は、その長手方向の一側（前端側）に、洗浄水を吐出する複数の吐水孔３６を有する。本実施形態では、ノズル３１は、人体用の吐水孔３６として、おしり洗浄用の第１吐水孔３６ａと、おしりを優しく洗うやわらか洗浄用の第２吐水孔３６ｂと、ビデ洗浄用の第３吐水孔３６ｃとを有する。これらの吐水孔３６は、ノズル３１の先端部の上側に設けられている。これらの吐水孔３６に供給された洗浄水は、吐水孔３６から上方へ向けて吐出され、便座６に着座した状態の使用者の局部洗浄に用いられる。
【００５２】
また、ノズル３１は、便器用の吐水孔３６として、第４吐水孔３６ｄを有する。第４吐水孔３６ｄは、ノズル３１の先端部の下側に設けられている。第４吐水孔３６ｄは、例えば使用者による便器３の使用前または使用後にボウル部３ａに対して水を吐出する洗浄処理に用いられる。なお、このボウル部３ａの洗浄処理には、電解槽２３で生成された機能水が用いられてもよい。
【００５３】
ノズル３１においては、各吐水孔３６に連通する流路が形成されている。すなわち、ノズル３１は、給水流路として、第１吐水孔３６ａに連通する第１の給水流路３７ａと、第２吐水孔３６ｂに連通する第２の給水流路３７ｂと、第３吐水孔３６ｃに連通する第３の給水流路３７ｃと、第４吐水孔３６ｄに連通する第４の給水流路３７ｄとを有する。これらの給水流路は、流路切替弁３３から各吐水孔３６に連通する給水流路を構成し、流路切替弁３３によって切り替えられる流路に含まれる。
【００５４】
ノズル洗浄室３２は、ノズル支持体３４の前端部に固定された状態で設けられている。ノズル洗浄室３２は、ノズル支持体３４に設けられ、給水源９から供給された水によりノズル３１を洗浄する。本実施形態では、ノズル洗浄室３２は、ノズル支持体３４の前端部において、ノズル支持体３４と一体的に設けられている。
【００５５】
ノズル洗浄室３２は、ノズル３１が挿通される内部空間を形成する部材により構成されている。ノズル洗浄室３２は、その内部空間に臨んで開口する吐水口を有し、この吐水口から洗浄水を吐出することにより、ノズル３１の外周面の洗浄、即ち胴体洗浄を行う。ノズル３１の胴体洗浄には、電解槽２３で生成された機能水が適宜用いられる。
【００５６】
ノズル洗浄室３２に対しては、給水源９から洗浄水供給部１４のバキュームブレーカ２４を経た水が、流路切替弁３３を介して供給される。このため、バキュームブレーカ２４と流路切替弁３３とは、チューブ等の給水管によって構成された給水経路４１により互いに連通接続されている。また、流路切替弁３３とノズル洗浄室３２とは、これらの間の給水経路を構成するチューブ等の給水管によって構成された給水経路４２により互いに連通接続されている。すなわち、給水経路４２は、ノズル３１の各吐水孔３６に連通する給水流路とともに、流路切替弁３３によって切り替えられる流路に含まれる。
【００５７】
流路切替弁３３は、バキュームブレーカ２４の下流側に設けられており、バキュームブレーカ２４から供給される水（機能水を含む）の供給を受ける。流路切替弁３３は、洗浄水の供給先となる複数の吐水口部に対する流路の切替えを行う。洗浄水の供給先には、ノズル３１およびノズル洗浄室３２が含まれる。
【００５８】
流路切替弁３３は、ノズル３１と一体的に移動するように設けられている。本実施形態では、流路切替弁３３は、ノズル３１の後側に設けられている。
【００５９】
流路切替弁３３は、水の供給先を切り替える流路にノズル３１への給水流路およびノズル洗浄室３２への給水流路を含む。本実施形態では、流路切替弁３３は、ノズル３１への給水流路として、第１の給水流路３７ａ、第２の給水流路３７ｂ、第３の給水流路３７ｃ、および第４の給水流路３７ｄを有し、ノズル洗浄室３２への給水流路として、給水経路４２を有する。すなわち、本実施形態では、流路切替弁３３からの洗浄水の供給先に、複数の吐水孔３６を有するノズル３１、およびノズル洗浄室３２が含まれる。
【００６０】
流路切替弁３３は、相対移動する２つのバルブディスクを有し、これらのバルブディスクの位置関係によって流路を切り替えるディスクバルブ機構を備えている。流路切替弁３３は、ディスクバルブ機構を収容するバルブハウジング３９を有する。バルブハウジング３９内には、ディスクバルブ機構等によって所定の流路が形成されている。流路切替弁３３は、ディスクバルブ機構の駆動源としてのモータ３８を有する。モータ３８は、バルブハウジング３９の後側に固定された状態で設けられている。モータ３８は、例えば、パルス電力に同期して回動するステッピングモータ（パルスモータ）である。
【００６１】
モータ３８は、所定の配線（後述するワイヤハーネス５３）により制御部１０に接続されており、モータ３８の動作は、制御部１０により制御される。すなわち、流路切替弁３３は、制御部１０からの制御信号に基づき、上述した複数の吐水孔３６およびノズル洗浄室３２の吐水口を対象として給水流路を切り替える。また、流路切替弁３３は、各給水先に対する水の流量調整の機能を有する。なお、流路切替弁３３の構造は、特に限定されるものではない。
【００６２】
ノズル支持体３４は、ケーシング５に対して着脱可能に設けられ、ノズル３１を支持する。具体的には、ノズル支持体３４は、ケーシング５のベースプレート５ａに対して着脱可能に取り付けられ、ノズル３１を前下がりの傾斜状に往復直線移動可能に支持する。ノズル支持体３４は、ノズルユニット１５において、ノズル洗浄室３２の設置を受けるとともに、ノズル３１、およびこれと一体的に設けられた流路切替弁３３を支持する支持基体を構成する。
【００６３】
ノズル駆動部３５は、ノズル３１を便器３のボウル部３ａ内に対して進退動作させるための構成である。ノズル３１は、トイレ装置１の使用者による操作部のスイッチ操作等に応じて、傾斜状態を保持しながらボウル部３ａ内に伸び出て、吐水孔３６から洗浄水を噴射する。
【００６４】
ここで、本実施形態に係る衛生洗浄装置２の装置本体部４におけるケーシング５内の装置の配置構成について、図３を用いて説明する。図３に示すように、平面視で左右方向を長手方向とする略矩形状を有するベースプレート５ａ上において、左右中央部に、ノズル３１を含むノズルユニット１５が設けられている。具体的には、ベースプレート５ａは、前側の左右中間部を、便器３のボウル部３ａの平面視形状に対応するように凹状をなす湾曲部５ｄとし、この湾曲部５ｄの左右中央部に対応する位置に、ノズル３１が、平面視でその長手方向を前後方向（進退方向）として設けられている。
【００６５】
ノズルユニット１５の左側に、熱交換器２２が設けられている。熱交換器２２は、後側寄りの位置に設けられ、ベースプレート５ａ上のノズルユニット１５よりも左側のスペースにおいて、タンク２６によって大部分の面積を占めるように設けられている。
【００６６】
熱交換器２２のタンク２６の後側の左寄りの位置に、電解槽２３が設けられている。また、タンク２６の右側後部の上に、バキュームブレーカ２４が設けられている。
【００６７】
また、ベースプレート５ａ上における右後側に、制御部１０が設けられている。また、ベースプレート５ａ上におけるノズルユニット１５の右側のスペースに、風系ユニットとして、温風乾燥ユニット４６および脱臭ユニット４７が配設されている。
【００６８】
温風乾燥ユニット４６は、便座６に座った状態の使用者の洗浄後の局部を乾燥させるための温風を吹き出すものであり、ノズルユニット１５の右側近傍の位置にて、ベースプレート５ａ上の前後方向の略全体にわたって延設されている。脱臭ユニット４７は、脱臭触媒や脱臭フィルタなどの脱臭部材を有し、便器３のボウル部３ａ内の空気あるいはトイレルーム内の空気を吸い込み、吸い込んだ空気に含まれる悪臭成分などを脱臭部材によって低減させたり捕集または分解したりする。
【００６９】
以上のような構成を備えた本実施形態の衛生洗浄装置２において、図６に示すように、ノズルユニット１５は、ケーシング５のベースプレート５ａに対する一体的な取付体として構成されており、ベースプレート５ａに対して着脱可能に設けられている。ノズルユニット１５は、そのノズル支持体３４を、ベースプレート５ａに対する取付部分とし、ノズル支持体３４においてベースプレート５ａとの関係における固定構造を有する。
【００７０】
ノズルユニット１５によれば、ケーシング５内にノズル３１を設けるに際し、ベースプレート５ａにノズル支持体３４を固定することで、ノズル３１が、ノズル洗浄室３２や流路切替弁３３等とともに一体的にベースプレート５ａに取り付けられる。また、ノズルユニット１５のメンテナンス等の際には、ベースプレート５ａからノズルユニット１５が一体的に取り外される。なお、ノズル支持体３４とベースプレート５ａとの間の固定構造については後述する。
【００７１】
本実施形態の衛生洗浄装置２は、ノズルユニット１５において次のような構成を備える。すなわち、衛生洗浄装置２は、給水源９からの水を流路切替弁３３に供給するための第１の給水チューブであるユニット給水チューブ５１と、流路切替弁３３からノズル洗浄室３２に給水するための第２の給水チューブであるノズル洗浄用チューブ５２と、流路切替弁３３の駆動源であるモータ３８から延出した流路切替部用電線であるワイヤハーネス５３とを備える。これらの構成を含むノズルユニット１５およびその周辺の構成について、図５から図１６を用いて説明する。なお、以下の説明では、ユニット給水チューブ５１、ノズル洗浄用チューブ５２およびワイヤハーネス５３の３本の線状部材を総称する場合は「給水チューブおよび電線」という。
【００７２】
ユニット給水チューブ５１は、例えばゴムチューブ等の弾性変形可能な配管部材であり、バキュームブレーカ２４からノズルユニット１５への給水流路である給水経路４１（図３参照）を構成する。
【００７３】
図４および図５に示すように、バキュームブレーカ２４は、熱交換器２２のタンク２６の上面部２６ｂの上側に設けられている。バキュームブレーカ２４は、タンク２６の内部空間と連通する空間を形成するハウジングを有し、そのハウジングを構成する部材として、ＶＢキャップ部材５６を有する。
【００７４】
ＶＢキャップ部材５６は、その周壁部から右斜め前方に向かう流出流路を形成する部分として、周壁部から右斜め前方に向けて直線状に突出した管状の送出管部５７を有する。送出管部５７は、その基端側を、バキュームブレーカ２４のハウジングの内部空間内に開口させるとともに、先端部に縮径状の接続管部５７ａを有する。
【００７５】
一方、ノズルユニット１５側においては、流路切替弁３３のバルブハウジング３９の左側に、筒状の接続管部（６１，６２）を有する接続ブロック部５８が突出状に設けられている。接続ブロック部５８は、筒状の流入用接続管部６１および流出用接続管部６２を平行状に後側に突設させるとともに、両接続管部からバルブハウジング３９の内部空間に連通する流路を形成している。流入用接続管部６１および流出用接続管部６２の流路方向、つまりこれらの管軸方向は、ノズル３１の長手方向（往復移動方向）に沿った傾斜方向（以下「ノズル傾斜方向」という。）となっている。また、流入用接続管部６１および流出用接続管部６２は、左右方向の位置を共通するとともに、流入用接続管部６１の上側に、流出用接続管部６２が位置している。
【００７６】
このような構成において、ユニット給水チューブ５１の上流側の端部は、接続管部５７ａを差し込ませることで、ＶＢキャップ部材５６の送出管部５７に連通接続されている。一方、ユニット給水チューブ５１の下流側の端部は、流入用接続管部６１を差し込ませることで、流路切替弁３３のバルブハウジング３９内に連通接続されている。このように、ユニット給水チューブ５１は、ＶＢキャップ部材５６の送出管部５７と流路切替弁３３の流入用接続管部６１との間をつなぎ、これらの接続管部同士を連通接続させる。
【００７７】
ノズル洗浄用チューブ５２は、例えばゴムチューブ等の弾性変形可能な配管部材であり、流路切替弁３３からノズル洗浄室３２への給水流路である給水経路４２（図３参照）を構成する。ノズル洗浄用チューブ５２は、ユニット給水チューブ５１と同程度の管径を有する。
【００７８】
図１５および図１６に示すように、ノズル支持体３４と一体的に設けられたノズル洗浄室３２おいては、ノズル３１が挿通される内部空間６５ａを形成する筒状の洗浄室部６５が設けられている。洗浄室部６５内には、ノズル３１に対する水の流路が形成されており、洗浄室部６５の内周側に、内部空間６５ａに臨んで開口する吐水口が形成されている。洗浄室部６５の外周側においては、洗浄室部６５内の流路に連通する接続管部６６が、左方に向けて直線状に突設されている。接続管部６６は、その基端側を、洗浄室部６５内の流路に連通させている。
【００７９】
このような構成において、ノズル洗浄用チューブ５２の上流側の端部は、流路切替弁３３の流出用接続管部６２を差し込ませることで、流路切替弁３３のバルブハウジング３９内に連通接続されている。一方、ノズル洗浄用チューブ５２の下流側の端部は、接続管部６６を差し込ませることで、ノズル洗浄室３２の洗浄室部６５内に連通接続されている。このように、ノズル洗浄用チューブ５２は、流路切替弁３３の流出用接続管部６２とノズル洗浄室３２の接続管部６６との間をつなぎ、これらの接続管部同士を連通接続させる。
【００８０】
ワイヤハーネス５３は、流路切替弁３３においてバルブハウジング３９の後側に設けられたモータ３８に対する給電や制御部１０からの制御信号の受信のための電線であり、モータ３８から延出して制御部１０に接続されている。具体的には次のとおりである。
【００８１】
モータ３８は、略円筒状のケース体３８ａ内にコイルやロータ等を収納した構成を有し、ケース体３８ａ内から、バルブハウジング３９内のディスクバルブ機構に対してモータ駆動軸を突出させている。モータ駆動軸の軸方向は、ノズル３１の長手方向に沿った傾斜方向となっている。ケース体３８ａの外周側の左上部には、円筒状に沿うケース体３８ａの外周面に対して箱状に突出した外周突部３８ｂが設けられている。外周突部３８ｂの後側（斜後上側）から、ワイヤハーネス５３が延出している。ワイヤハーネス５３の先端部には、制御部１０に対する接続用のコネクタ５４が設けられている。ワイヤハーネス５３は、ユニット給水チューブ５１およびノズル洗浄用チューブ５２（以下「給水チューブ５１，５２」とも表記する。）に対して細い線状の部材である。
【００８２】
ノズル支持体３４について説明する。図１５および図１６に示すように、ノズル支持体３４は、ノズル３１の支持面であるノズル支持面７１ａを形成した部分であるノズル支持面部７１と、ノズル支持面部７１の下側に設けられた基台部７２とを有する。ノズル支持体３４は、ノズル支持面部７１および基台部７２により、支持体本体部７０を構成している。支持体本体部７０は、概略的に、側面視で後側を直角側とするとともにノズル支持面７１ａ側を斜辺側とした略直角三角形状の外形をなす。
【００８３】
ノズル支持面部７１は、平面視で前後方向を長手方向とする細長い矩形板状の外形に沿う部分であり、その上側の面をノズル支持面７１ａとしている。ノズル支持面７１ａは、ノズル傾斜方向に沿う前下がりの傾斜平面であり、ノズル３１の幅（外径）と略同じ幅（左右方向の寸法）を有する。ノズル支持面７１ａの水平面に対する傾斜角度は、例えば３０〜４０°の範囲内の角度である。
【００８４】
ノズル支持面部７１の前側に、ノズル洗浄室３２の洗浄室部６５が設けられている。洗浄室部６５は、その略筒状の外形における筒軸方向を、ノズル支持面７１ａの傾斜方向に沿わせた態様で設けられている。
【００８５】
基台部７２は、その略全体を、支持体本体部７０の前後方向の長さの範囲内、および支持体本体部７０の左右方向の幅の範囲内に位置させている。基台部７２には、ノズル支持体３４のベースプレート５ａに対する固定構造をなす部分が設けられている。
【００８６】
ノズル駆動部３５（図２参照）について説明する。ノズル駆動部３５は、駆動源としての電動モータ等のノズルモータ７５と、ノズルモータ７５の動力をノズル３１を進退させるための動力として伝達する伝動機構とにより構成されている。
【００８７】
ノズルモータ７５の動作は、制御部１０により制御される。すなわち、ノズル３１の進退動作（以下「ノズル進退動作」という。）は、制御部１０に接続されたノズルモータ７５を介して、制御部１０により制御される。ノズルモータ７５からは、ノズルモータ７５に対する給電や制御部１０からの制御信号の受信のための電線であるワイヤハーネス７６が延出しており、ワイヤハーネス７６は、その先端部に設けられたコネクタ７７等を介して制御部１０に接続されている。
【００８８】
ノズル駆動部３５の伝動機構は、ノズルモータ７５により回転駆動する駆動プーリ８１と、駆動プーリ８１の前側および後側に設けられた従動プーリ８２，８３と、これらのプーリに係回された無端状のベルト８４と、ベルト８４に対して設けられたテンションプーリ８５とを含む。上記の各プーリは、その外周面に歯が形成されたギア状の歯付きプーリであり、ベルト８４は、その内周面に、各プーリに噛合する歯が形成された歯付きベルトである。
【００８９】
ノズルモータ７５および伝動機構を構成する各部材は、ノズル支持体３４に支持された状態で設けられており、伝動機構は、ノズル支持体３４の右側に配設されている。具体的には次のとおりである。
【００９０】
ノズルモータ７５は、略円筒状の外形を有し、その筒軸方向を左右方向として、基台部７２の後側に支持されている。このため、基台部７２の後側には、円筒形状に沿う面であって側面視で「Ｃ」字状をなす内周面を形成するモータ支持部８６が形成されている（図１５参照）。ノズルモータ７５は、モータ支持部８６の凹状の内周面に嵌合した状態で、基台部７２に支持されている。
【００９１】
ノズルモータ７５は、その円筒状の外形における筒軸方向に沿うモータ軸７５ａを、右方に向けている。モータ軸７５ａに、駆動プーリ８１が固定されている。前側の従動プーリ８２は、ノズル洗浄室３２の洗浄室部６５の右側において右方に向けて突設された支持軸部８７に回転自在に支持されている。後側の従動プーリ８３は、基台部７２の後端上部に設けられた支持ブラケット８８において右方に向けて突設された支持軸部８９に回転自在に支持されている。
【００９２】
テンションプーリ８５は、駆動プーリ８１の前側近傍に設けられており、ベルト８４に対して外周側（下側）から圧接している。テンションプーリ８５は、基台部７２のモータ支持部８６の前側において右側に突設された箱状のプーリ支持部９０に設けられた付勢支持部材９１に支承され、プーリ支持部９０内において付勢支持部材９１の下方に設けられたスプリング９２の弾性力により、ベルト８４に対して下方から押圧作用する。
【００９３】
ベルト８４は、ノズル３１および流路切替弁３３を含む一体的な移動体（以下「ノズル移動体」という。）に対して、バルブハウジング３９に設けられたベルト係止部９３により、所定の部位に設けられた被挟持部８４ａを係合させている（図１２参照）。ベルト係止部９３は、ベルト８４の内周側の歯部に係合する凹凸面部を含み、ベルト８４の被挟持部８４ａを挟持した状態で、ベルト８４の所定の部位に固定されている。これにより、ベルト係止部９３に対するベルト８４の相対移動が規制されている。
【００９４】
以上のような構成により、ノズルモータ７５の回転が、駆動プーリ８１および従動プーリ８２，８３を介してベルト８４の回動動作として伝達され、ベルト８４の回動にともない、ベルト係止部９３をベルト８４に係合させたノズル移動体が、ノズル支持面７１ａをスライド面として移動する。ノズル移動体は、ノズルモータ７５の正逆回転により進退移動する。
【００９５】
以上のような構成を備えたノズルユニット１５において、ノズル進退動作にともなうノズル洗浄用チューブ５２およびワイヤハーネス５３の可動範囲を制限すべく、ノズル３１を支持するノズル支持体３４に、ノズル洗浄用チューブ５２およびワイヤハーネス５３の一部を保持する保持部が設けられている。本実施形態では、ノズル支持体３４は、ノズル進退動作にともなうノズル洗浄用チューブ５２の可動範囲を制限するためにノズル洗浄用チューブ５２の一部を保持するチューブ用保持部１０２と、ノズル進退動作にともなうワイヤハーネス５３の可動範囲を制限するためにワイヤハーネス５３の一部を保持する電線用保持部１０３とを有する。
【００９６】
チューブ用保持部１０２および電線用保持部１０３は、ノズル支持体３４において支持体本体部７０に対して設けられた線状部材保持部１００に設けられている。本実施形態では、支持体本体部７０を構成する部材と、線状部材保持部１００を構成する部材とが、互いに別体の部材となっている。つまり、ノズル支持体３４は、支持体本体部７０を構成する部材と、線状部材保持部１００を構成する部材とが結合した一体的な支持体を構成している。
【００９７】
支持体本体部７０を構成する部材、および線状部材保持部１００を構成する部材は、いずれも樹脂製の部材であり、これらの部材同士は、例えば、係合片の弾性を利用して係合するスナップフィット構造等の所定の係合部により、互いに固定されている。ただし、これらの部材同士の固定構造や各部材の材料は特に限定されるものではなく、また、支持体本体部７０および線状部材保持部１００は、一体の部材により構成されてもよい。
【００９８】
チューブ用保持部１０２は、保持対象のノズル洗浄用チューブ５２を係止した状態で、ノズル洗浄用チューブ５２の中途部を部分的に保持する。チューブ用保持部１０２によるノズル洗浄用チューブ５２の保持部分は、ノズル洗浄用チューブ５２における固定部位となる。つまり、チューブ用保持部１０２は、ノズル洗浄用チューブ５２の一部を保持することで、ノズル洗浄用チューブ５２においてノズル支持体３４に対する固定部位を形成する。したがって、チューブ用保持部１０２によるノズル洗浄用チューブ５２の保持部分は、ベースプレート５ａに対するノズル移動体の移動（ノズル進退動作）にかかわらず、ベースプレート５ａ上における固定部分となる。なお、チューブ用保持部１０２において、ノズル進退動作にともなうノズル洗浄用チューブ５２のずれ等のわずかな移動は許容される。
【００９９】
電線用保持部１０３は、保持対象のワイヤハーネス５３を係止した状態、ワイヤハーネス５３の中途部を部分的に保持する。電線用保持部１０３によるワイヤハーネス５３の保持部分は、ワイヤハーネス５３における固定部位となる。つまり、電線用保持部１０３は、ワイヤハーネス５３の一部を保持することで、ワイヤハーネス５３においてノズル支持体３４に対する固定部位を形成する。したがって、電線用保持部１０３によるワイヤハーネス５３の保持部分は、ベースプレート５ａに対するノズル進退動作にかかわらず、ベースプレート５ａ上における固定部分となる。なお、電線用保持部１０３において、ノズル進退動作にともなうワイヤハーネス５３のずれ等のわずかな移動は許容される。
【０１００】
チューブ用保持部１０２および電線用保持部１０３は、ノズル３１の一側方側に設けられている。本実施形態では、両保持部１０２，１０３は、ノズル３１の左側に設けられている。つまり、ノズル支持体３４において、線状部材保持部１００は、支持体本体部７０に対して左側に設けられている。
【０１０１】
したがって、両保持部１０２，１０３は、ベースプレート５ａ上において、左右方向について、ノズル３１と、熱交換器２２のタンク２６との間に位置している。また、両保持部１０２，１０３は、高さ方向について、タンク２６の略水平状の上面部２６ｂよりも低い位置に設けられている。詳細には、両保持部１０２，１０３は、タンク２６の上半部と略同じ高さ位置に設けられている。このように、ベースプレート５ａにおいて、ノズル３１とその左方に位置するタンク２６との間のスペースであるノズル左側スペース１０５（図４参照）に両保持部１０２，１０３が設けられている。
【０１０２】
両保持部１０２，１０３は、ノズル進退動作の過程で、給水チューブ５１，５２によってワイヤハーネス５３が変形しないように設けられている。
【０１０３】
両保持部１０２，１０３によってノズル洗浄用チューブ５２およびワイヤハーネス５３（以下「被保持部材５２，５３」とも表記する。）において固定部位を形成することで、被保持部材５２，５３のうち、保持部１０２，１０３によって保持された部分以外の部分であって、ノズル移動体に接続または保持された側の部分が、ノズル進退動作にともなって移動する可動部分（以下「ノズル連動部分」という。）となる。また、線状部材保持部１００において保持されていないユニット給水チューブ５１も、ノズル進退動作にともなって移動する。
【０１０４】
このように、被保持部材５２，５３のノズル連動部分、およびユニット給水チューブ５１は、ノズル進退動作にともなって移動し、配設形態を変形させる。そこで、こうした給水チューブおよび電線の移動において、給水チューブ５１，５２が、ワイヤハーネス５３に干渉してワイヤハーネス５３が変形することがないように、両保持部１０２，１０３が配置されている。
【０１０５】
以下、本実施形態における給水チューブおよび電線の配設態様、並びに両保持部１０２，１０３の構成について具体的に説明する。
【０１０６】
ユニット給水チューブ５１の配設態様について説明する。ユニット給水チューブ５１は、送出管部５７の突出方向に沿って右斜め前方に向かってから後方に向けて湾曲状に折り返し、さらに下側から前方に向けて湾曲状に折り返してから、流路切替弁３３の流入用接続管部６１に接続されている。このように配設されたユニット給水チューブ５１は、上流側湾曲部５１ａと、中間延設部５１ｂと、下流側湾曲部５１ｃとを有する。詳細には次のとおりである。
【０１０７】
上流側湾曲部５１ａは、送出管部５７の突出方向に沿って右斜め前方に向かってから後方に向けて横方向に湾曲状に折り返し、平面視で前側を凸側とした略半円状をなす配管部分である。中間延設部５１ｂは、上流側湾曲部５１ａの下流側から後方に向けて略前後方向に延設された配管部分である。下流側湾曲部５１ｃは、中間延設部５１ｂの下流側から下方に向けて縦方向に湾曲するとともに流入用接続管部６１に向かうように前方へと折り返し、側面視で後側を凸側とした略半円状をなす配管部分である。
【０１０８】
ユニット給水チューブ５１は、収納状態のノズル３１との関係において次のように配設されている。上下方向について、ユニット給水チューブ５１は、その大部分を、ノズル３１の上方に位置させている。前後方向について、ユニット給水チューブ５１は、ノズル３１の後部からノズル３１よりも後方の位置にかけて配されている。左右方向について、ユニット給水チューブ５１は、その大部分をノズル３１の左側に位置させている。
【０１０９】
ノズル洗浄用チューブ５２の配設態様について説明する。ノズル洗浄用チューブ５２は、流路切替弁３３の流出用接続管部６２の突出方向に沿って斜め上後方に向かってから前方に向けて湾曲状に折り返して前方に延設され、右方に向けて湾曲状に曲がり、ノズル洗浄室３２の接続管部６６に接続されている。このように配設されたノズル洗浄用チューブ５２は、上流側湾曲部５２ａと、中間延設部５２ｂと、下流側湾曲部５２ｃとを有する。詳細には次のとおりである。
【０１１０】
上流側湾曲部５２ａは、流出用接続管部６２の突出方向に沿って斜め上後方に向かってから前方に向けて縦方向に湾曲状に折り返し、側面視で後側を凸側とした略半円弧状をなす配管部分である。中間延設部５２ｂは、上流側湾曲部５２ａの下流側から前方に向けてノズル傾斜方向に沿うように傾斜状に延設された配管部分である。下流側湾曲部５２ｃは、中間延設部５２ｂの下流側から一旦左方に向けて膨出状に湾曲するとともに接続管部６６に向かうように右方に向けて横方向に湾曲し、平面視で左方を凸側とした略半円弧状をなす配管部分である。
【０１１１】
ノズル洗浄用チューブ５２は、収納状態のノズル３１との関係において次のように配設されている。上下方向について、ノズル洗浄用チューブ５２は、その大部分がノズル３１の上側においてノズル傾斜方向に沿うように傾斜状に配されている。前後方向について、ノズル洗浄用チューブ５２は、ノズル３１よりも後方の位置からノズル３１の前端部の位置にかけて配されている。左右方向について、ノズル洗浄用チューブ５２は、その全体をノズル３１の左側に位置させている。
【０１１２】
ノズル洗浄用チューブ５２は、ユニット給水チューブ５１との関係において次のように配設されている。流入用接続管部６１と流出用接続管部６２の位置関係から、流出用接続管部６２に接続されたノズル洗浄用チューブ５２の上流側の端部は、流入用接続管部６１に接続されたユニット給水チューブ５１の下流側の端部よりも上方に位置している。そして、ノズル洗浄用チューブ５２は、側面視で後側を凸側とする略半円弧状をなす上流側湾曲部５２ａを、同じく後側を凸側とする略半円弧状をなすユニット給水チューブ５１の下流側湾曲部５１ｃの内側（内周側）に位置させている。さらに、ノズル洗浄用チューブ５２は、上流側湾曲部５２ａから中間延設部５２ｂにかけての部分をユニット給水チューブ５１の上流側湾曲部５１ａの下側に潜らせる態様で、上流側湾曲部５２ａを前方へ延設させている。
【０１１３】
ワイヤハーネス５３の配設態様について説明する。ワイヤハーネス５３は、上述のとおりモータ３８の左上部に設けられた外周突部３８ｂの後側から延出されており、一旦左側から右側へと流路切替弁３３上を越えてから、折返して右側から左側へと再度流路切替弁３３上を越え、ノズル３１の左方において斜め下前方へ延設されるとともに、下側から後方に向けて折り返し、ノズル支持体３４の後側に回り込んでから、ノズルユニット１５の後右側に位置する制御部１０へと向かうように配されている。このように配設されたワイヤハーネス５３は、その基端側からコネクタ５４側にかけて順に、第１配線部５３ａ、第２配線部５３ｂ、第３配線部５３ｃ、第４配線部５３ｄ、第５配線部５３ｅ、および第６配線部５３ｆを有する。詳細には次のとおりである。
【０１１４】
第１配線部５３ａは、ワイヤハーネス５３の基端部から右斜め前方に向けて流路切替弁３３上を越えて流路切替弁３３の右側に達して下方に向かう配線部分である。第２配線部５３ｂは、第１配線部５３ａから上方へと折り返し、モータ３８の後側に回り込むように延設されて前方へと折り返し、平面視で後側を凸側とした略半円弧状をなす配線部分である。ここで、第１配線部５３ａと第２配線部５３ｂの折返し部分は、バルブハウジング３９の右側に設けられた第１ハーネス保持部１１０によって保持されている。
【０１１５】
第１ハーネス保持部１１０は、バルブハウジング３９の右側に設けられており、ノズル傾斜方向に沿う板状の支持板部１１１を有し、支持板部１１１の前側に、第１配線部５３ａと第２配線部５３ｂの折返し部分を保持する折返し保持部１１２を有する。折返し保持部１１２は、支持板部１１１からノズル傾斜方向に沿って前側に向けて突設された３本の係止突片を有する。３本の係止突片部は、横並びに所定の間隔を隔てて平行状に設けられている。
【０１１６】
折返し保持部１１２は、左側の係止突片と中央の係止突片との間の隙間に、第１配線部５３ａを上側から通し、折返し保持部１１２の下側において折り返した第２配線部５３ｂを、中央の係止突片と右側の係止突片との間の隙間に下側から通すことで、第１配線部５３ａと第２配線部５３ｂの折返し部分を保持している。
【０１１７】
また、第１ハーネス保持部１１０においては、折返し保持部１１２から後側に向けて延設された第２配線部５３ｂを支持板部１１１上に支持させるためのガイド部１１３が設けられている。ガイド部１１３は、支持板部１１１の後部の左側において上側に向けて突設されたガイド突起と、支持板部１１１の後部に設けられたガイド面部とを有する。ガイド面部は、ガイド突起に対向するように支持板部１１１の右側から後側の縁部に沿う側壁面部と、支持板部１１１の後端部上において支持板部１１１に対向するように形成された上壁面部とを有する。ガイド部１１３によれば、第２配線部５３ｂが、ガイド突起およびガイド面部によって支持板部１１１上において左右方向および上下方向の移動が規制された状態で、支持板部１１１上から左斜め後側へと延設される。
【０１１８】
第３配線部５３ｃは、第２配線部５３ｂの前方への折返し部分から、ノズル傾斜方向に沿うように傾斜状に延設された配線部分である。第４配線部５３ｄは、第３配線部５３ｃの前側から下方に向けて延設され、略上下方向に沿う配線部分である。第５配線部５３ｅは、第４配線部５３ｄの下側から後側に向けてノズル傾斜方向に沿うように、つまり第３配線部５３ｃと略平行状に延設された配線部分である。
【０１１９】
第６配線部５３ｆは、第５配線部５３ｅの後側からノズル支持体３４の後側に回り込み、ノズル支持体３４の後上部から右方へと延び出た配線部分であり、その先端部にコネクタ５４を有する。第６配線部５３ｆは、ノズル支持面部７１の後端部から垂下状に形成された係止片部１１６の内側（前側）を通って右上側へと延びている。係止片部１１６により、第６配線部５３ｆの後側への張り出しが規制されている。
【０１２０】
また、第６配線部５３ｆの係止片部１１６に対する係止部分よりも末端側の部分は、モータ３８の右側に設けられた第２ハーネス保持部１１７に保持されている。第２ハーネス保持部１１７は、第６配線部５３ｆを通す樋状の部分を構成し、下側から延設された第６配線部５３ｆを後側から前方へそして右方へと向かわせるように案内保持する。第６配線部５３ｆの第２ハーネス保持部１１７から右方への延出先に、コネクタ５４が設けられている。なお、モータ３８の下方に位置するノズルモータ７５のワイヤハーネス７６は、第６配線部５３ｆと同様に、係止片部１１６による係止および第２ハーネス保持部１１７による保持を受け、コネクタ７７を、ワイヤハーネス５３のコネクタ５４の近傍に位置させている。
【０１２１】
ワイヤハーネス５３は、ノズル３１との関係で、次のように配設されている。上下方向について、ワイヤハーネス５３は、第１配線部５３ａおよび第２配線部５３ｂを、ノズル３１の上側に位置させ、第３配線部５３ｃ、第４配線部５３ｄ、第５配線部５３ｅ、および第６配線部５３ｆの大部分を、ノズル３１の上下方向の範囲内に位置させている。前後方向について、ワイヤハーネス５３は、第１配線部５３ａ、第２配線部５３ｂ、および第６配線部５３ｆを、ノズル３１の後側に位置させ、第３配線部５３ｃ、第４配線部５３ｄ、および第５配線部５３ｅの大部分を、ノズル３１の前後方向の範囲内に位置させている。左右方向について、ワイヤハーネス５３は、第３配線部５３ｃ、第４配線部５３ｄ、および第５配線部５３ｅを、ノズル３１の左側に位置させ、第１配線部５３ａ、第２配線部５３ｂ、および第６配線部５３ｆの大部分を、ノズル３１の左右方向の範囲内に位置させている。
【０１２２】
ワイヤハーネス５３は、給水チューブ５１，５２との関係において次のように配設されている。ワイヤハーネス５３は、流路切替弁３３の左側の位置を起点として、第１配線部５３ａにより流路切替弁３３の上側近傍を通って第１ハーネス保持部１１０に向けて一旦右側に振られてから、第２配線部５３ｂによりモータ３８の後側を比較的大きな円弧状を描きながら左側に戻され、ノズル３１の左側において前方から後方に向けて折返し、第６配線部５３ｆにより、第２配線部５３ｂの下方の位置において、再度ノズル３１の左側から右側へと配されている。
【０１２３】
このように配されたワイヤハーネス５３は、第２配線部５３ｂを、給水チューブ５１，５２の後側に回り込ませるように設けられている。つまり、ワイヤハーネス５３は、略円弧状の第２配線部５３ｂの内側（前側）に、ユニット給水チューブ５１の下流側湾曲部５１ｃおよびノズル洗浄用チューブ５２の上流側湾曲部５２ａを位置させている。
【０１２４】
また、ワイヤハーネス５３は、左右方向については、第２配線部５３ｂにより左側に振られた位置から、第３配線部５３ｃ、第４配線部５３ｄ、および第５配線部５３ｅを、給水チューブ５１，５２の外側（左側）に位置させ、そのまま残りの第６配線部５３ｆを、ノズル支持体３４の後側に位置させている。
【０１２５】
次に、両保持部１０２，１０３を有する線状部材保持部１００の具体的な構成について説明する。線状部材保持部１００は、支持体本体部７０の基台部７２に対して両保持部１０２，１０３を支持する支持アーム部１２０を有する。支持アーム部１２０は、横アーム部１２１と、縦アーム部１２２とを有し、これらの部分によって正面視で略「Ｌ」字状をなす。
【０１２６】
横アーム部１２１は、基台部７２の前後方向の中央部の前側寄りの部位から左方に向けて水平状に突出している。横アーム部１２１は、線状部材保持部１００を構成する部材の、支持体本体部７０を構成する部材に対する固定部となる。横アーム部１２１は、いわゆるスナップフィット構造を用いた固定構造により、基台部７２に固定されている。
【０１２７】
具体的には、横アーム部１２１の右側の部分に、前後方向に対向する一対の係止爪１２３ａ，１２３ａが平行状に形成されている。これに対し、基台部７２側においては、横アーム部１２１の右側端部の差込みを受ける矩形状の開口部７３が形成されている。一対の係止爪１２３ａ，１２３ａの先端部には係止部が形成されており、横アーム部１２１が開口部７３に差し込まれることで、その係止部の作用によって一対の係止爪１２３ａ，１２３ａ一時的な弾性変形をともない、係止部によって横アーム部１２１が開口部７３に係止固定された状態となる。
【０１２８】
縦アーム部１２２は、横アーム部１２１の左側端部から、横アーム部１２１とともに正面視で略直角をなすように上方に向けて立ち上がった部分である。縦アーム部１２２は、上下方向を長手方向として左右方向を板厚方向とする略板状の部分である。
【０１２９】
縦アーム部１２２の下端部は、正面視で二股状に分岐しており、係止凹部１２４を形成している。詳細には、縦アーム部１２２は、横アーム部１２１の左側端部から立ち上がった内側板部１２２ａと、内側板部１２２ａの上端から左側に向けて直角状に屈曲形成された段差面部１２２ｂと、段差面部１２２ｂの左側から上方へ向けて延設され縦アーム部１２２の大部分をなす立設板部１２２ｃとを有し、これらの部分によって正面視で略クランク状の形状を有する。立設板部１２２ｃの下側には、立設板部１２２ｃの左側の板面と面一の面を形成する係止突片部１２５が、内側板部１２２ａの外側（左側）に対向するように下方に向けて突設されている。
【０１３０】
このような構成において、内側板部１２２ａの外側（左側）に、内側板部１２２ａと段差面部１２２ｂと係止突片部１２５とにより、前後両側および下側を開放させた溝状の部分として係止凹部１２４が形成されている。係止凹部１２４は、ワイヤハーネス５３が係止される部分となる。
【０１３１】
以上のような構成を備えた縦アーム部１２２の上側に、保持部１０２，１０３を有する保持本体部１３０が設けられている。
【０１３２】
保持本体部１３０は、左右方向を板厚方向とする板状の部分である支持板部１３１を有する。支持板部１３１は、側面視において、ノズル傾斜方向に沿う一対の対向辺部を含む略台形状ないし多角形状を有する。支持板部１３１は、側面視で一対の対向辺部のうちの下側の辺部をなす縁部の前後中間部を、縦アーム部１２２の上縁部の内側（右側）に重ねた態様で、縦アーム部１２２につながっている。
【０１３３】
保持本体部１３０において、支持板部１３１の右側、つまりノズル３１側（以下「ノズル側」という。）に、支持板部１３１を含むチューブ用保持部１０２が設けられている。また、支持板部１３１の左側、つまりノズル３１側と反対側（以下「反ノズル側」という。）に、支持板部１３１を含む電線用保持部１０３が設けられている。
【０１３４】
チューブ用保持部１０２は、支持板部１３１の右側面１３１ａから右側に向けて突出した３つの突片部によりノズル洗浄用チューブ５２を保持する。具体的には、チューブ用保持部１０２は、ノズル洗浄用チューブ５２を下側から支持する下支持突片部１４１と、ノズル洗浄用チューブ５２を上側から支持する２つの上支持突片部１４２とを有する。
【０１３５】
下支持突片部１４１は、支持板部１３１の右側面１３１ａから右方に向けて突出するともに上方に向けて湾曲した形状を有し、正面視で略「Ｊ」字形状をなすフック状の突起部分である。下支持突片部１４１は、支持板部１３１において、前側寄りの位置に設けられている。
【０１３６】
上支持突片部１４２は、支持板部１３１の右側面１３１ａから右方に向けて直線状に突出した略矩形板状の突起部分である。上支持突片部１４２は、その板面をノズル傾斜方向に沿わせている。２つの上支持突片部１４２のうち、前側の上支持突片部１４２Ａは、下支持突片部１４１の前方の近傍位置となる、支持板部１３１の前下側の角部に設けられている。後側の上支持突片部１４２Ｂは、支持板部１３１の後上側の角部の近傍に設けられている。
【０１３７】
このような構成のチューブ用保持部１０２に対して、ノズル洗浄用チューブ５２の中間延設部５２ｂの略中央部が保持されている。すなわち、チューブ用保持部１０２は、フック状の下支持突片部１４１に対して上側からノズル洗浄用チューブ５２を嵌め込ませた状態でノズル洗浄用チューブ５２を下側から支持するとともに、その前後両側を前後の上支持突片部１４２によってノズル洗浄用チューブ５２を上側から押さえた状態で、ノズル洗浄用チューブ５２を支持する。このように、チューブ用保持部１０２は、下側１箇所の下支持突片部１４１と、その前後の上側２箇所の上支持突片部１４２とによる三点支持の状態で、ノズル洗浄用チューブ５２を上下両側から挟み込んだ態様で保持する。
【０１３８】
電線用保持部１０３は、支持板部１３１の左側面１３１ｂから左側に向けて突出した前後２箇所の係止部１４５によりワイヤハーネス５３を保持する。係止部１４５は、下側係止片部１４６と、下側係止片部１４６の上側に対向するように設けられた上側係止片部１４７とを有する。
【０１３９】
下側係止片部１４６は、その上側の面を、ノズル傾斜方向に沿う支持面１４６ａとしている。下側係止片部１４６は、立設板部１２２ｃと支持板部１３１との境界部分から左方に突出している。上側係止片部１４７は、その下側の面を、下側係止片部１４６の支持面１４６ａに対向させるとともに、突出端部に、支持面１４６ａ側に向けて突出した係止爪部１４７ａを有する。
【０１４０】
２箇所の係止部１４５は、ノズル傾斜方向に沿う位置関係で、下側係止片部１４６を、立設板部１２２ｃの前後の角部に位置させるように設けられている。２つの係止部１４５のうち、後側の係止部１４５Ｂの前下方の位置に、前側の係止部１４５Ａが設けられている。係止部１４５においては、下側係止片部１４６と上側係止片部１４７との間の空間が、ワイヤハーネス５３の保持空間となる。
【０１４１】
また、立設板部１２２ｃには、ワイヤハーネス５３に作用する部分として、ガイド板部１４８が設けられている。ガイド板部１４８は、左右方向を板厚方向とする矩形板状の部分であり、立設板部１２２ｃの前縁部から前方へ向けて突出している。ガイド板部１４８は、上下方向について立設板部１２２ｃの略半分の寸法を有し、立設板部１２２ｃの中間部に設けられている。
【０１４２】
ガイド板部１４８は、その前縁部に沿って係止突縁部１４８ａを有する。係止突縁部１４８ａは、ガイド板部１４８の本体部分に対して左側に向けて直角状に屈曲形成された部分であり、ガイド板部１４８の上下方向の全体にわたって形成されている。ガイド板部１４８は、係止突縁部１４８ａにより、略「Ｌ」字状の横断面形状を有する。
【０１４３】
以上のような構成において、電線用保持部１０３、ガイド板部１４８、および支持アーム部１２０の係止凹部１２４により、ワイヤハーネス５３の第３配線部５３ｃ、第４配線部５３ｄ、および第５配線部５３ｅによる折返し部分が保持ないし係止されている。すなわち、電線用保持部１０３においては、第３配線部５３ｃの前側の部分が、２箇所の係止部１４５により、下側係止片部１４６および上側係止片部１４７によって上下から挟まれた態様で保持されている。電線用保持部１０３によるワイヤハーネス５３の被保持部分においては、前後２箇所の係止部１４５の間に位置する部位である介在部位５３ｘ（図７参照）に結束バンド等を係止部材として取り付けることで、その係止部材が、前後の係止部１４５に対する係止部となる。これにより、電線用保持部１０３において、ノズル進退動作にともなう介在部位５３ｘの変動の範囲、つまりワイヤハーネス５３のずれ等の移動の範囲を制限することができ、ワイヤハーネス５３のノズル連動部分の長さを制限することができる。
【０１４４】
また、ガイド板部１４８においては、第４配線部５３ｄが係止される。第４配線部５３ｄは、ガイド板部１４８の左側かつ係止突縁部１４８ａの後側に位置し、ガイド板部１４８に沿う態様で略上下方向に配されている。ガイド板部１４８においては、ガイド板部１４８の本体部分により、第４配線部５３ｄの右側への移動が規制され、係止突縁部１４８ａにより、ワイヤハーネス５３の折返し形状における第４配線部５３ｄの前側への膨出が規制される。また、係止凹部１２４においては、第５配線部５３ｅの前側の部分が、係止凹部１２４がなす溝状の部分に引っ掛けられた状態で係止されている。
【０１４５】
以上のような構成によれば、給水チューブ５１，５２は、その略全体を、ノズル３１の左側のスペースに位置させている。また、ワイヤハーネス５３は、第１ハーネス保持部１１０および第２ハーネス保持部１１７による被保持部分以外の部分の大部分を、ノズル３１の後側および左側に位置させている。このように、本実施形態では、ノズル３１の左右両側のスペースのうち、ノズル左側スペース１０５が、給水チューブおよび電線の主な配設スペースとして用いられている。
【０１４６】
また、保持本体部１３０においては、チューブ用保持部１０２と電線用保持部１０３との間に、ノズル洗浄用チューブ５２とワイヤハーネス５３とが互いに干渉することを防止するための仕切部が設けられている。本実施形態では、支持板部１３１が、仕切部として機能する。
【０１４７】
支持板部１３１は、その右側面１３１ａからチューブ用保持部１０２をなす下支持突片部１４１および上支持突片部１４２を突設させるとともに、左側面１３１ｂから係止部１４５を突設させることで、チューブ用保持部１０２および電線用保持部１０３を左右に振り分けて配設している。これにより、支持板部１３１は、その右側に保持するノズル洗浄用チューブ５２と、左側に保持するワイヤハーネス５３との間に介在してこれらの間の仕切り壁となり、保持本体部１３０において、被保持部材５２，５３同士の接触を規制している。
【０１４８】
特に、本実施形態では、支持板部１３１は、左側面視において、前後両側および上側に張り出した板形状を有し、２箇所の係止部１４５の周囲の部分を、前後両側および上側に張出し状に形成された張出部１３２としている（図１１、図１５参照）。そして、チューブ用保持部１０２をなす３箇所の支持突片部（１４１，１４２）は、支持板部１３１の張出部１３２部分に配設されている。
【０１４９】
以上のような給水チューブ５１，５２およびワイヤハーネス５３の配設態様および被保持部材５２，５３の線状部材保持部１００による保持態様によれば、給水チューブおよび電線について、次のような部分がノズル連動部分となる。
【０１５０】
すなわち、ユニット給水チューブ５１については、線状部材保持部１００による保持を受けてないため、ユニット給水チューブ５１の略全部が、ノズル連動部分となる。
【０１５１】
また、ノズル洗浄用チューブ５２については、チューブ用保持部１０２により保持された部分よりも上流側の部分が、主なノズル連動部分となる。つまり、この主なノズル連動部分は、ノズル洗浄用チューブ５２における中間延設部５２ｂの略中間部から後側の部分となる。
【０１５２】
また、ワイヤハーネス５３については、電線用保持部１０３により保持された部分と、第１ハーネス保持部１１０により保持された部分との間の部分が、主なノズル連動部分となる。つまり、この主なノズル連動部分は、ワイヤハーネス５３における第２配線部５３ｂおよび第３配線部５３ｃの部分となる。
【０１５３】
そして、本実施形態に係る給水チューブおよび電線の配設態様、および被保持部材５２，５３の保持態様において、衛生洗浄装置２は、次のような構成を備える。すなわち、給水チューブ５１，５２およびワイヤハーネス５３は、ノズル３１に近い側を内側とした場合、ワイヤハーネス５３のノズル連動部分が、給水チューブ５１，５２それぞれのノズル連動部分よりも外側に位置するように配されている。
【０１５４】
具体的には、ワイヤハーネス５３におけるノズル連動部分である第２配線部５３ｂおよび第３配線部５３ｃは、略全部がノズル連動部分であるユニット給水チューブ５１に対して、ノズル３１の周りにおいて、後側かつ左側に配されている。詳細には、第２配線部５３ｂは、ユニット給水チューブ５１に対して、前後方向についての外側である後側に位置しており、第３配線部５３ｃは、ノズル３１の左側に配されたユニット給水チューブ５１に対して、左右方向についての外側である左側に位置している。
【０１５５】
また、ワイヤハーネス５３におけるノズル連動部分である第２配線部５３ｂおよび第３配線部５３ｃは、ノズル洗浄用チューブ５２におけるノズル連動部分である、中間延設部５２ｂの略中間部から後側の部分に対して、ノズル３１の周りにおいて、後側かつ左側に配されている。詳細には、第２配線部５３ｂは、ノズル洗浄用チューブ５２の上流側湾曲部５２ａに対して、前後方向についての外側である後側に位置しており、第３配線部５３ｃは、ノズル３１の左側に配されたノズル洗浄用チューブ５２の中間延設部５２ｂに対して、左右方向についての外側である左側に位置している。
【０１５６】
また、本実施形態の衛生洗浄装置２は、次のような構成を備える。すなわち、電線用保持部１０３は、ノズル３１に対して、チューブ用保持部１０２よりも外側方に配置されており、ワイヤハーネス５３は、ノズル３１に対して、ノズル洗浄用チューブ５２の外側方の位置にてノズル洗浄用チューブ５２と並走するように配置されている。
【０１５７】
本実施形態では、保持本体部１３０は、ノズル３１に対して左側の位置に設けられている。保持本体部１３０において、左右方向に関し、チューブ用保持部１０２は、右側つまりノズル側に設けられており、電線用保持部１０３は、左側つまり反ノズル側に設けられている。したがって、電線用保持部１０３は、左右方向について、ノズル３１に対して、チューブ用保持部１０２よりも支持板部１３１を介して外側方の位置に設けられている。
【０１５８】
そして、ワイヤハーネス５３は、電線用保持部１０３による被保持部分である第３配線部５３ｃを、ノズル洗浄用チューブ５２のチューブ用保持部１０２による被保持部分である中間延設部５２ｂの左方の位置、つまりノズル３１に対して外側方の位置にて、中間延設部５２ｂと略平行状に配している。すなわち、ノズル洗浄用チューブ５２およびワイヤハーネス５３は、支持板部１３１に対してノズル側に位置する中間延設部５２ｂと、支持板部１３１に対して反ノズル側に位置する第３配線部５３ｃとを、平面視で略前後方向であって略ノズル傾斜方向に沿うように平行状に走らせている。
【０１５９】
また、ワイヤハーネス５３において、第３配線部５３ｃ、第４配線部５３ｄおよび第５配線部５３ｅは、平面視で重なるように略同一鉛直面上に位置するように配されている。これにより、ワイヤハーネス５３は、第３配線部５３ｃに加えて、第４配線部５３ｄおよび第５配線部５３ｅを、ノズル３１に対して中間延設部５２ｂの外側方（反ノズル側）に位置させている。
【０１６０】
次に、ノズル支持体３４とベースプレート５ａとの間の固定構造について説明する。ノズル支持体３４は、ケーシング５に対する固定構造として、ノズル３１の一側方側に設けられた係合部としての係合片部１５１と、嵌合部としての嵌合板部１５２とを有する。
【０１６１】
係合片部１５１は、図１７および図１９に示すように、ケーシング５のベースプレート５ａに設けられた被係合部としての係止突片部１５３に係合する。嵌合板部１５２は、図１８および図１９に示すように、ケーシング５のベースプレート５ａに設けられた被嵌合部としての嵌合溝部１５４に嵌合する。
【０１６２】
係合片部１５１および係止突片部１５３による係合構造について説明する。係合片部１５１は、ノズル支持体３４において、基台部７２の下側に設けられている。係合片部１５１は、前後方向について、基台部７２の中央部よりも後側寄りの位置に設けられている。
【０１６３】
係合片部１５１は、左右方向について、ノズル３１の一側方側としての左側に設けられている。つまり、ノズル３１を支持するノズル支持面部７１の下側の基台部７２において、その左側面部に、係合片部１５１が設けられている。係合片部１５１は、ノズル支持体３４において支持体本体部７０をなす部材の一部として形成されている。
【０１６４】
係合片部１５１は、矩形板状の部分が正面視で略クランク状に屈曲した態様の突片部分であり、その屈曲状をなす部分として、上側から下側にかけて、上横面部１５６、縦面部１５７、および下横面部１５８を有する。上横面部１５６は、基台部７２から左方に突出した部分である。縦面部１５７は、上横面部１５６の左側から下側に向けて屈曲した鉛直状の面部であって、左右方向を板厚方向とする板状の部分である。下横面部１５８は、縦面部１５７の下側から左側に向けて屈曲した水平状の面部であり、係合片部１５１の下端部をなす。
【０１６５】
縦面部１５７の下部には、係合片部１５１を貫通した係止孔部１５９が形成されている。係止孔部１５９は、下横面部１５８の上面１５８ａとともに略矩形状をなす貫通状の開口部である。つまり、係止孔部１５９は、下横面部１５８の上面１５８ａの右側の縁部を下側の面として、この上面１５８ａと、縦面部１５７に形成され前後に対向した内側面、および縦面部１５７に形成され上面１５８ａに対向した上側の面とによって形成されている。
【０１６６】
係合片部１５１においては、下横面部１５８の下面が、ケースカバー５ｂの底面部５ｃに対する接触面となる。また、平面視において、下横面部１５８は、その大部分を、ノズル支持面部７１の左縁端から左側に突出させている。
【０１６７】
係止突片部１５３は、ケースカバー５ｂの底面部５ｃから上方に向けて突出した突片部である。係止突片部１５３は、左右方向を板厚方向とする略矩形板状の本体板部１６１と、本体板部１６１の右側に設けられ前後方向を板厚方向とするリブ板部１６２とを有し、これらの部分によって平面視で略「Ｔ」字状をなしている。
【０１６８】
本体板部１６１は、底面部５ｃに対して垂直状に突出している。本体板部１６１の左側の板面である左側面１６１ａには、係止突部１６３が形成されている。係止突部１６３は、本体板部１６１の左側面１６１ａにおいて、前後中央部かつ上部の位置に形成されている。
【０１６９】
係止突部１６３は、その左側に、ガイド斜面１６３ａを有する。ガイド斜面１６３ａは、本体板部１６１の上側から下側にかけて右側から左側に向かう方向に傾斜した傾斜面である。つまり、ガイド斜面１６３ａは、正面視において左下がりに傾斜している。また、係止突部１６３は、その下側の面を、底面部５ｃに対向する略水平面である係止面１６３ｂとしている。係止面１６３ｂは、係止突部１６３において左側面１６１ａに対する段差を形成する面となる。
【０１７０】
このような係止突片部１５３に対して、係合片部１５１は、縦面部１５７を本体板部１６１の左側に沿わせ、係止孔部１５９内に係止突部１６３を係止させた状態で、係止突片部１５３に係合した状態となる。係合片部１５１と係止突片部１５３が係合した状態において、係止突部１６３は、係止孔部１５９内に嵌り係止孔部１５９から左側に臨んだ状態で、係止面１６３ｂを、係止孔部１５９の下面、つまり下横面部１５８の上面１５８ａの右側の縁部に対向ないし接触させている。
【０１７１】
嵌合板部１５２および嵌合溝部１５４による嵌合構造について説明する。嵌合板部１５２は、ノズル支持体３４において、基台部７２の下側に設けられている。嵌合板部１５２は、前後方向について、基台部７２の略中央部に設けられており、係合片部１５１よりも前側の位置に設けられている。嵌合板部１５２は、係合片部１５１の前側の近傍に位置している。
【０１７２】
嵌合板部１５２は、左右方向について、基台部７２の中央部に設けられている。基台部７２の左右中央部は、支持体本体部７０における左右中央部となる。したがって、嵌合板部１５２は、ノズル支持面部７１上に支持された円筒状のノズル３１に対して、その中心線の下方に位置することになる。嵌合板部１５２は、ノズル支持体３４において支持体本体部７０をなす部材の一部として形成されている。
【０１７３】
嵌合板部１５２は、左右方向を板厚方向とした板状の部分であり、基台部７２から下側および後側に突出して矩形状に沿う形状を有する。嵌合板部１５２は、上下方向に沿う後側辺部と、前後方向に沿う下側辺部とを有する。嵌合板部１５２の下縁部には、その前後方向の全体にわたって、上側から下側にかけて嵌合板部１５２の板厚を薄くするテーパ部１５２ａが形成されている。
【０１７４】
嵌合溝部１５４は、ベースプレート５ａの底面部５ｃから上方に向けて突出した左右一対の突片部１６５により形成されている。突片部１６５は、左右方向を板厚方向とする略矩形板状の本体板部１６６と、本体板部１６６の左右外側に設けられ前後方向を板厚方向とするリブ板部１６７とを有し、これらの部分によって平面視で略「Ｔ」字状をなしている。
【０１７５】
左右一対の突片部１６５は、本体板部１６６同士を前後方向に平行として左右方向に対向させている。左右の本体板部１６６により、ベースプレート５ａ上において嵌合溝部１５４の嵌合溝１６８が形成されている。すなわち、嵌合溝１６８は、左右の本体板部１６６の対向面となる内側側面と、底面部５ｃの上面とにより形成され、前後両側を開放させた嵌合凹部をなしている。左右の本体板部１６６の上縁部には、その前後方向の全体にわたって、下側から上側にかけて嵌合溝１６８の左右幅を広げる斜面部１６６ａが形成されている。
【０１７６】
以上のような嵌合構造をなす嵌合板部１５２は、ノズル支持体３４において、装置本体部４の平面視におけるノズル３１の長手方向、つまり前後方向について、係合片部１５１よりも前側に設けられている。つまり、ノズル支持体３４とベースプレート５ａとの間において、嵌合板部１５２および嵌合溝部１５４による嵌合部分は、係合片部１５１および係止突片部１５３による係合部分よりも前側に設けられている。
【０１７７】
以上のような係合構造および嵌合構造を含む固定構造により、ノズル支持体３４がベースプレート５ａに固定されている。かかる固定構造において、ノズル支持体３４は、ケーシング５のベースプレート５ａに対し、前側の端部を係止させた状態で、後側を押さえ付けられることで、係合片部１５１を係止突片部１５３に係合させ、ベースプレート５ａに取り付けられた状態となるように構成されている。
【０１７８】
ノズル支持体３４は、その前端部に、ベースプレート５ａに対する係止部として、係止突起１７１を有する。係止突起１７１は、ノズル支持体３４の前端部に設けられた略筒状の洗浄室部６５の左右両外側に設けられている。左右の係止突起１７１は、左右対称に設けられている。
【０１７９】
係止突起１７１は、洗浄室部６５の左右側面から左右外方に向けて突出するように形成され、突出断面形状を略「Ｌ」字状とする突起部分である。係止突起１７１は、ノズルユニット１５がベースプレート５ａに取り付けられた状態において、側面視で略「Ｌ」字状の一方の辺部をなす横面部１７１ａを略水平状とし、同略「Ｌ」字状の他方の辺部をなす縦面部１７１ｂを、横面部１７１ａの後側に位置させるとともに略鉛直状とするように形成されている。
【０１８０】
これに対し、ベースプレート５ａ側においては、その前縁部における左右中央部のノズル３１の突出開口部の左右両側に、係止突起１７１を前側から受け入れる係止凹部１７２が設けられている（図４、図２０（ａ）参照）。係止凹部１７２は、係止突起１７１の横面部１７１ａを後側から受け入れるとともに下側から支持する凹部形成部１７２ａと、凹部形成部１７２ａの上側に設けられ後側から縦面部１７１ｂの接触を受けて前側から縦面部１７１ｂを支持する係止支持面部１７２ｂとを有する（図２０（ａ）参照）。
【０１８１】
このような係止突起１７１および係止凹部１７２による係止構造によれば、ノズル支持体３４は、左右両側の係止突起１７１を、ベースプレート５ａの左右の係止凹部１７２にそれぞれ後側から嵌合させる。これにより、ノズル支持体３４の前端部が、ベースプレート５ａに対して係止支持された状態となる。
【０１８２】
ノズル支持体３４のベースプレート５ａに対する取付けおよび取外しについて、図２０を用いて説明する。なお、衛生洗浄装置２の製造過程において、ノズル支持体３４は、ノズル支持面部７１に対するノズル３１のセット等を受けてノズルユニット１５を構成した状態で、ベースプレート５ａに取り付けられる。
【０１８３】
ノズルユニット１５の取付けに際しては、図２０Ａに示すように、ノズルユニット１５が、ベースプレート５ａに対し、ベースプレート５ａに取り付けられた状態よりも前傾状の姿勢、つまり前下がりの姿勢で、左右の係止凹部１７２に対して後側から左右の係止突起１７１を当接させることで、ベースプレート５ａに係止された状態となる。かかる係止状態においては、ノズル支持体３４の前端部の前方および左右方向への移動が規制されるとともに、係止突起１７１および係止凹部１７２を介してノズル支持体３４の前端部がベースプレート５ａにおいて下側から支持された状態となる。
【０１８４】
図２０Ａに示すように係止突起１７１を係止凹部１７２に係止させた状態から、図２０Ｂに示すように、係止突起１７１および係止凹部１７２による係止部分を回動支点として、ノズルユニット１５がその後側を下げるように回動させられる（矢印Ｘ１参照）。これにより、嵌合板部１５２が嵌合溝部１５４に嵌合するとともに、係合片部１５１が係止突片部１５３に係合し、ノズル支持体３４がベースプレート５ａに固定された状態となる。詳細には次のとおりである。
【０１８５】
ノズルユニット１５の下側への回動の過程においては、まず、係合片部１５１よりも前側に位置する嵌合板部１５２の嵌合溝部１５４の嵌合溝１６８に対する嵌入が先に始まる。ここで、嵌合板部１５２のテーパ部１５２ａと嵌合溝部１５４の斜面部１６６ａによるガイド作用が得られる。これにより、嵌合板部１５２の一部（下部）が嵌合溝１６８に入った状態となることにより、ベースプレート５ａに対するノズル支持体３４の左右方向の移動が規制される。このように、ベースプレート５ａに対するノズルユニット１５の取付けにおいては、係止突片部１５３に対する係合片部１５１の係合が開始されるタイミングよりも先に、嵌合溝部１５４に対する嵌合板部１５２の嵌合が開始される。
【０１８６】
そして、ノズルユニット１５の回動が進み、係合片部１５１が係止突片部１５３に達すると、下横面部１５８が係止突部１６３のガイド斜面１６３ａに接触する。この状態から、ノズルユニット１５の後側が上側から押さえ付けられることにより、ガイド斜面１６３ａによるガイド作用によって主に係合片部１５１側が左側に開くように弾性変形し、係合片部１５１の下横面部１５８の上面１５８ａが係止突部１６３の係止面１６３ｂに達することで、係合片部１５１が弾性変形から解除されてほぼ元の状態に戻る。これにより、係止突部１６３が係合片部１５１の係止孔部１５９内に嵌合し、係合片部１５１が係止突片部１５３に係合した状態となる。
【０１８７】
このように、係合片部１５１は、嵌合板部１５２および嵌合溝部１５４による嵌合によってノズル支持体３４の左右方向の移動が規制された状態で、いわゆるスナップフィットの態様で自動的に係止突片部１５３に係合する。係合片部１５１が係止突片部１５３に係合した状態となるとともに、嵌合板部１５２の全体が嵌合溝部１５４に嵌合した状態となり、また、左右の係止突起１７１が横面部１７１ａを係止凹部１７２に嵌合させた状態となる。以上のようにして、ノズル支持体３４がベースプレート５ａに固定され、ノズルユニット１５が取り付けられた状態となる。
【０１８８】
ノズルユニット１５のベースプレート５ａからの取外しは、次のようにして行われる。すなわち、例えばマイナスドライバ等の工具を用いて、係合片部１５１と係止突片部１５３の係合が解除された状態で、ノズルユニット１５の後部が持ち上げられる。そして、ノズルユニット１５の前端側の係止突起１７１および係止凹部１７２による係止部分を回動支点として、ノズルユニット１５が取付けの際と逆方向に回動させられ（図２９Ｂ、矢印Ｘ２参照）、ベースプレート５ａから取り外される。
【０１８９】
係合片部１５１と係止突片部１５３の係合を解除するため、係合片部１５１の下横面部１５８には、前後方向に延びたスリット状の係止孔１５８ｂが形成されている。係止孔１５８ｂは、下横面部１５８において、上述のとおり平面視でノズル支持面部７１の左縁端から左側に突出した部分に形成されている。この係止孔１５８ｂに上側から工具が差し込まれ、工具の操作によって係合片部１５１が左側に開くように弾性変形させられ、係合片部１５１と係止突片部１５３の係合が解除される。
【０１９０】
なお、ノズル支持体３４とベースプレート５ａとの間の係合構造については、係合片部１５１と同様の形状部分がベースプレート５ａ側に設けられ、これに対応する係止突片部１５３と同様の形状部分がノズル支持体３４側に設けられてもよい。また、ノズル支持体３４とベースプレート５ａとの間の嵌合構造については、嵌合板部１５２と同様の形状部分がベースプレート５ａ側に設けられ、これに対応する嵌合溝部１５４と同様の形状部分がノズル支持体３４側に設けられてもよい。また、ノズル支持体３４とベースプレート５ａとの間の係合構造および嵌合構造は、それぞれ複数箇所に設けられてもよい。
【０１９１】
以上説明した本実施形態に係る衛生洗浄装置２によれば、装置のコンパクト化を図ることができるとともに、ノズル３１周りの給水チューブ５１，５２やワイヤハーネス５３等の保持作業について良好な作業性を得ることができる。
【０１９２】
すなわち、本実施形態に係る衛生洗浄装置２は、ノズルユニット１５を構成するノズル支持体３４に、ノズル洗浄用チューブ５２を保持するチューブ用保持部１０２、およびワイヤハーネス５３を保持する電線用保持部１０３を設けた構成を備える。このような構成によれば、ノズルユニット１５内において、ノズル洗浄用チューブ５２およびワイヤハーネス５３の保持を完結することができる。これにより、ベースプレート５ａに取り付けられる前の状態のノズルユニット１５において被保持部材５２，５３の保持作業を行うことができるので、組立作業性を向上することができる。
【０１９３】
例えば、ノズル洗浄用チューブ５２またはワイヤハーネス５３を保持する部分を、ノズル３１の左側に位置するタンク２６に設けた構成を想定する。このような構成においては、タンク２６に設けた保持部に対する給水チューブまたは電線の保持作業が、ノズルユニット１５をベースプレート５ａに取り付けた状態で行われることになる。このため、給水チューブまたは電線の保持作業について、十分な作業スペースが得られず、周囲の装置・機器が障害物となり、作業性が悪化するという問題がある。かかる問題は、装置のコンパクト化が進むと顕著になる。
【０１９４】
この点、本実施形態に係る衛生洗浄装置２によれば、上述のとおりノズルユニット１５単独の状態で被保持部材５２，５３の保持作業を行うことが可能となるので、被保持部材５２，５３の保持作業の作業性を向上させることができる。結果として、ベースプレート５ａ上において被保持部材５２，５３の保持作業のための作業スペースを考慮する必要がなくなるので、省スペース化を実現することができ、装置のコンパクト化を図ることができる。このように、本実施形態に係る衛生洗浄装置２によれば、装置のコンパクト化と被保持部材５２，５３の保持作業性の向上との両立を実現することができる。
【０１９５】
また、本実施形態に係る衛生洗浄装置２において、チューブ用保持部１０２および電線用保持部１０３は、いずれもノズル３１の左側に配置されている。
【０１９６】
このような構成によれば、ノズル洗浄用チューブ５２およびワイヤハーネス５３を、それぞれのノズル連動部分の移動空間（可動空間）の一部同士が重なるように配設することができる。これにより、ケーシング５内の空間を、ノズル洗浄用チューブ５２およびワイヤハーネス５３それぞれのノズル連動部分の移動空間として共用することができる。したがって、例えばノズル洗浄用チューブ５２およびワイヤハーネス５３をノズル３１の左右両側に保持した構成と比べて、ケーシング５内におけるノズル３１周りの空間、特にノズル３１とタンク２６との間の空間（ノズル左側スペース１０５）を有効に利用することができ、ケーシング５の小型化を図ることができる。
【０１９７】
また、本実施形態に係る衛生洗浄装置２において、チューブ用保持部１０２および電線用保持部１０３は、ノズル進退動作の過程で、給水チューブ５１，５２によってワイヤハーネス５３が変形しないように設けられている。
【０１９８】
すなわち、上述したようにノズル洗浄用チューブ５２およびワイヤハーネス５３それぞれのノズル連動部分の移動空間が共用される構成においては、これらの被保持部材５２，５３の配設態様によっては、ノズル進退動作にともなって給水チューブと電線が互いに干渉することが考えられる。給水チューブと電線が互いに干渉する場合、給水チューブに比べて強度の弱い電線が給水チューブからの押圧作用によって無理やり変形させられてしまい、長期間の使用において繰り返される曲げ変形や摺動抵抗による摩耗等によって電線の劣化が進みやすくなるという問題が生じ得る。そこで、上記のような給水チューブおよび電線の配設態様によれば、ノズル進退動作にともなう互いの干渉を回避することができ、ワイヤハーネス５３の劣化を抑制することができる。
【０１９９】
具体的には、本実施形態の衛生洗浄装置２は、ワイヤハーネス５３のノズル連動部分を、給水チューブ５１，５２それぞれのノズル連動部分よりも外側に配置した構成を備える。
【０２００】
このような構成によれば、ノズル進退動作において、給水チューブ５１，５２がワイヤハーネス５３に対して変形を生じさせるように干渉することを防止することができるので、ノズル進退動作にともなうワイヤハーネス５３の劣化を抑制することができる。
【０２０１】
また、本実施形態の衛生洗浄装置２は、電線用保持部１０３をチューブ用保持部１０２に対して反ノズル側である左側に配置するとともに、ワイヤハーネス５３を、ノズル洗浄用チューブ５２の左方の位置においてノズル洗浄用チューブ５２と略平行状に前後方向に配した構成を備える。
【０２０２】
このような構成によれば、ノズル進退動作において、例えばノズル洗浄用チューブ５２とワイヤハーネス５３とが交差し、ノズル洗浄用チューブ５２がワイヤハーネス５３に対して変形を生じさせるように干渉することを防止することができる。これにより、ノズル洗浄用チューブ５２からワイヤハーネス５３に対する干渉ないし接触によるワイヤハーネス５３の曲げ変形や摺動抵抗による摩耗を減少させることができ、ノズル進退動作にともなうワイヤハーネス５３の劣化を抑制することができる。また、ノズル洗浄用チューブ５２とワイヤハーネス５３を並走させて保持できることから、給水チューブおよび電線の配設空間となるノズル３１の左方の空間（ノズル左側スペース１０５）を有効利用することができ、装置のコンパクト化に寄与することができる。
【０２０３】
ここで、本実施形態に係る衛生洗浄装置２におけるノズル進退動作にともなう給水チューブ５１，５２およびワイヤハーネス５３の動作態様の一例について、図２１を用いて説明する。図２１は、ノズル進退動作にともなう給水チューブおよび電線の動作態様の一例を模式的に示す図である。なお、図２１において、ワイヤハーネス５３については、ノズル連動部分である第２配線部５３ｂおよび第３配線部５３ｃのみを示している。
【０２０４】
図２１Ａは、ノズル３１がケーシング５内に収納された状態、つまりノズル３１が後退端にある状態（以下「ノズル収納状態」という。）を示している。図２１Ｂは、ノズル３１がその進退動作の動作範囲における中間位置にある状態（以下「ノズル中間状態」という。）を示している。図２１Ｃは、ノズル３１が前方に突出した状態、つまりノズル３１が前進端にある状態（以下「ノズル突出状態」という。）を示している。
【０２０５】
すなわち、ノズル３１の前進動作（以下「ノズル前進動作」という。）において、給水チューブおよび電線は、図２１Ａに示すノズル収納状態から、図２１Ｂに示すノズル中間状態を経て、図２１Ｃに示すノズル突出状態となる。また、ノズル３１の後退動作（以下「ノズル後退動作」という。）において、給水チューブおよび電線は、図２１Ｃに示すノズル突出状態から、図２１Ｂに示すノズル中間状態を経て、図２１Ａに示すノズル収納状態となる。
【０２０６】
図２１Ａ、図２１Ｂおよび図２１Ｃに示すように、ノズル前進動作において、ユニット給水チューブ５１の下流側端部およびノズル洗浄用チューブ５２の上流側端部が接続された接続ブロック部５８は、ノズル支持面部７１の後端部近傍の位置から、ノズル洗浄室３２の近傍の位置まで移動する。このため、ノズル前進動作において、ユニット給水チューブ５１は、上流側湾曲部５１ａから中間延設部５１ｂにかけて後側に折り返す態様（図２１Ａ参照）から、送出管部５７に対する接続部分を起点として、下流側端部を前方へ移動させ、前側へ伸びた状態（図２１Ｃ参照）となる。また、ノズル前進動作において、ノズル洗浄用チューブ５２は、上流側湾曲部５２ａから中間延設部５２ｂにかけての後側への折返し形態を維持しながらその折返し位置をずらし、最終的に略全体を２つに折り曲げた態様となる（図２１Ｃ参照）。
【０２０７】
また、ノズル前進動作において、ワイヤハーネス５３のノズル連動部分の基端側の部分が位置する第１ハーネス保持部１１０は、ノズル支持面部７１の後端部近傍の位置から、ノズル洗浄室３２の近傍の位置まで移動する。このため、ノズル前進動作において、ワイヤハーネス５３のノズル連動部分は、電線用保持部１０３による保持部分を起点として、後側への折返し形態を維持しながら前方へ移動する。
【０２０８】
このようなノズル前進動作にともなう給水チューブおよび配線の移動態様においては、ノズル収納状態において給水チューブ５１，５２の後側および左側（反ノズル側）に位置するワイヤハーネス５３が、その給水チューブ５１，５２に対する相対的な位置関係を保持しながら、ノズル前進動作にともなって前方へと逃げる給水チューブ５１，５２に追従する態様で移動している。
【０２０９】
また、ノズル後退動作における給水チューブおよび配線の移動態様は、ノズル前進動作により移動した給水チューブおよび配線が、ノズル突出状態での配線態様から、元の状態つまりノズル収納状態での配線態様に戻るように移動する。
【０２１０】
このように、本実施形態に係る給水チューブおよび電線の配線態様によれば、ノズル進退動作において、給水チューブ５１，５２がワイヤハーネス５３に干渉することが回避され、ワイヤハーネス５３が給水チューブ５１，５２からの接触を受けて変形することが防止されている。なお、ユニット給水チューブ５１の上流側湾曲部５１ａは、ノズル進退動作において被保持部材５２，５３の上方に位置するため、被保持部材５２，５３に干渉することはない。
【０２１１】
以上のような本実施形態に係る給水チューブおよび電線の配線態様に対する比較例について説明する。図２１に示すように、本実施形態では、給水チューブおよび電線について、ノズルユニット１５の後側に位置する部位に着目すると、後側から前側にかけて順に、ワイヤハーネス５３（の第２配線部５３ｂ）、ユニット給水チューブ５１（の下流側湾曲部５１ｃ）、ノズル洗浄用チューブ５２（の上流側湾曲部５２ａ）が位置している。
【０２１２】
これに対し、比較例の構成においては、図２２および図２３に示すように、ワイヤハーネス５３の後側に、給水チューブが位置している。すなわち、図２２Ａに示す第１の比較例の構成においては、ユニット給水チューブ５１が、下流側湾曲部５１ｃを、ワイヤハーネス５３の後側から回り込ませ、接続ブロック部５８に接続させている。これにより、第１の比較例の構成においては、ノズルユニット１５の後側に位置する部位に着目すると、後側から前側にかけて順に、ユニット給水チューブ５１、ワイヤハーネス５３、ノズル洗浄用チューブ５２が位置している。
【０２１３】
また、図２３Ａに示す第２の比較例の構成においては、ユニット給水チューブ５１が、下流側湾曲部５１ｃを、ワイヤハーネス５３の後側から回り込ませ、接続ブロック部５８に接続させ、ノズル洗浄用チューブ５２が、上流側湾曲部５２ａを、ワイヤハーネス５３の後側から回り込ませ、接続ブロック部５８に接続させている。これにより、第２の比較例の構成においては、ノズルユニット１５の後側に位置する部位に着目すると、後側から前側にかけて順に、ユニット給水チューブ５１、ノズル洗浄用チューブ５２、ワイヤハーネス５３が位置している。
【０２１４】
これらの比較例の構成によれば、図２２および図２３に示すように、ノズル進退動作において、給水チューブ５１，５２がワイヤハーネス５３に干渉し、ワイヤハーネス５３が給水チューブ５１，５２からの接触を受けて変形することになる。なお、図２２および図２３の各図においては、図２１と同様に、ノズル収納状態、ノズル中間状態、およびノズル突出状態の各状態を示している。
【０２１５】
第１の比較例の構成の場合、ノズル前進動作において、ユニット給水チューブ５１は、接続ブロック部５８に接続された下流側端部を前方へ移動させることから、前側に位置するワイヤハーネス５３に対して後側から接触する。具体的には、図２２Ｂおよび図２２Ｃに示すように、ノズル前進動作において、ユニット給水チューブ５１は、ワイヤハーネス５３に対してこれを前側ないし左側に引っ張る態様で接触する（図２２Ｂ、図２２Ｃにおいて符号Ｐ１で示す部位参照。）。これにより、ワイヤハーネス５３の後部の湾曲形状部分が潰され、その湾曲形状の曲げＲが小さくなるようにワイヤハーネス５３が変形させられる（図２２Ｂ、図２２において符号Ｐ２で示す部位参照。）。
【０２１６】
このようにワイヤハーネス５３がユニット給水チューブ５１からの干渉を受けることで、ワイヤハーネス５３におけるユニット給水チューブ５１の接触部分については、長期使用によってノズル進退動作が繰り返されることで、曲げ変形や摩耗等によって劣化しやすくなる。特に、ワイヤハーネス５３において曲げＲが小さくなる部位については、長期使用によって断線が生じる可能性がある。
【０２１７】
また、第２の比較例の構成の場合、ノズル収納状態においてユニット給水チューブ５１よりも内周側に位置するとともにワイヤハーネス５３の後側に位置するノズル洗浄用チューブ５２が、ノズル前進動作において主にワイヤハーネス５３に干渉することになる。具体的には、図２３Ｂおよび図２３Ｃに示すように、ノズル前進動作において、ノズル洗浄用チューブ５２は、ワイヤハーネス５３に対して後側から接触してから、ノズル３１の前進にともない、ワイヤハーネス５３を前側に引っ張るように作用する。これにより、ワイヤハーネス５３の後部の湾曲形状部分が潰され、その湾曲形状の曲げＲが小さくなるようにワイヤハーネス５３が変形させられる（図２３Ｂ、図２３Ｃにおいて符号Ｑ１で示す部位参照。）。
【０２１８】
このようにワイヤハーネス５３がノズル洗浄用チューブ５２からの干渉を受ける場合においても、上述した第１の比較例の構成の場合と同様に、ワイヤハーネス５３において、ノズル洗浄用チューブ５２の接触部分については劣化しやすくなり、特に、曲げＲが小さくなる部位については断線が生じる可能性がある。
【０２１９】
以上のような比較例の構成に対し、本実施形態の衛生洗浄装置２によれば、給水チューブ５１，５２によりワイヤハーネス５３が変形させられることがないので、ワイヤハーネス５３の第２配線部５３ｂについて、ノズル収納状態における曲げＲが大きい湾曲状態を保持したまま、ノズル進退動作を行うことができる。これにより、ワイヤハーネス５３の劣化を抑制することができ、延いては断線のリスクを回避することができる。なお、本実施形態における第１ハーネス保持部１１０等によるワイヤハーネス５３の取り回しの態様によれば、ノズル連動部分となる第２配線部５３ｂについて、省スペース化を図りながら、比較的曲げＲが大きい横方向の湾曲状態を形成することができる。
【０２２０】
また、本実施形態の衛生洗浄装置２においては、チューブ用保持部１０２と電線用保持部１０３との間に、仕切部として機能する支持板部１３１が設けられている。
【０２２１】
このような構成によれば、チューブ用保持部１０２に保持されるノズル洗浄用チューブ５２と電線用保持部１０３に保持されるワイヤハーネス５３とが互いに干渉することを防止することができる。これにより、ノズル洗浄用チューブ５２とワイヤハーネス５３とを互いに近接させて配置した場合であっても、これらが互いに干渉することを防止することができるので、装置のコンパクト化に寄与することができる。
【０２２２】
なお、支持板部１３１については、後側への延設長さが長すぎる場合、ノズル前進動作の際に、ワイヤハーネス５３が支持板部１３１に干渉することが考えられる。このため、支持板部１３１は、ノズル傾斜方向について、ノズル３１の長さの１／３〜１／４程度の長さ寸法でノズル３１の略中央部に設けられることが好ましい。
【０２２３】
また、本実施形態の衛生洗浄装置２においては、ノズル支持体３４は、ノズル３１の左側に設けられベースプレート５ａに設けられた係止突片部１５３に係合する係合片部１５１と、ベースプレート５ａに設けられた嵌合溝部１５４に嵌合する嵌合板部１５２とを有する。
【０２２４】
このような構成によれば、嵌合板部１５２による嵌合構造があるため、ノズル支持体３４のベースプレート５ａに対する固定構造において、係合片部１５１による係合部を１箇所にすることができる。これにより、例えばノズル３１の左右両側の２箇所に係合部を設けた構成と比べて、ノズル支持体３４をベースプレート５ａから容易に取り外すことができるので、ノズル支持体３４の取外しの際の作業性を向上することができる。結果として、ノズルユニット１５のメンテナンス性を向上することができる。
【０２２５】
また、嵌合板部１５２による嵌合構造があるため、係合片部１５１による係合部が１箇所であっても、ノズル支持体３４にガタツキを生じさせることなく、ノズルユニット１５をしっかりとベースプレート５ａに固定することができる。特に、本実施形態では、嵌合板部１５２が、係合片部１５１の近傍に設けられているため、ノズル支持体３４のガタツキを効果的に防止することができる。また、嵌合板部１５２は、ノズル支持体３４において前後方向について中央よりも後側に設けられている。このため、ノズル３１が前傾状に設けられる構成において、嵌合板部１５２の高さを高くすることができ、嵌合溝部１５４に対する嵌合深さを深くすることができるので、ノズル支持体３４のガタツキを効果的に防止することができる。
【０２２６】
さらに、本実施形態では、係合片部１５１による係合部が、左右方向について、ノズル３１に対して、被保持部材５２，５３の配設側、つまり左側に設けられている。このような構成によれば、被保持部材５２，５３の配設空間を、ノズルユニット１５を取り外す際にマイナスドライバ等の工具を用いて係合片部１５１と係止突片部１５３の係合を解除する作業の作業スペースとして有効利用することができる。また、例えばノズル３１の左右両側の２箇所に係合部を設けた場合、ノズル３１と温風乾燥ユニット４６との間においても上記の作業スペースを確保する必要が生じるが、係合片部１５１を左右片側のみに設けた構成によれば、同作業スペースを、ノズル３１の左右片側のみに確保すればよい。このように、本実施形態の係合片部１５１の配設態様によれば、省スペースを実現することができ、装置のコンパクト化を図ることができる。
【０２２７】
また、本実施形態の衛生洗浄装置２においては、ノズル支持体３４において、嵌合板部１５２は、係合片部１５１の前側に設けらており、ノズルユニット１５の取付けの際には、嵌合溝部１５４に対する嵌合板部１５２の嵌合が、係止突片部１５３に対する係合片部１５１の係合よりも先に開始されるように構成が採用されている。
【０２２８】
このような構成によれば、ノズルユニット１５の取付けにおいて、嵌合板部１５２による嵌合作用によってノズル支持体３４が左右方向について位置決めされた状態で、係合片部１５１を係止突片部１５３に係合させることができる。これにより、例えば係合片部１５１が必要以上に大きく変形する等、係合片部１５１による係合部における不具合を生じさせることなく、スムーズに係合片部１５１を係止突片部１５３に係合させることができる。結果として、ノズルユニット１５の取付作業性を向上することができる。
【０２２９】
以上のように実施形態を用いて説明した本発明に係る衛生洗浄装置は、上述した実施形態に限定されず、本発明の趣旨に沿う範囲で、種々の態様を採用することができる。
【０２３０】
上述した実施形態では、ベースプレート５ａに対するノズル支持体３４の嵌合部および係合部は、それぞれ１箇所設けられているが、これらは複数箇所に設けられてもよい。したがって、例えば、係合片部１５１による係合部を、ノズル支持体３４の左側に２箇所設けた構成や、嵌合板部１５２による嵌合部を前後２箇所に設けた構成が採用されてもよい。
【符号の説明】
【０２３１】
２      衛生洗浄装置
４      装置本体部
５      ケーシング
５ａ    ベースプレート
９      給水源
１５    ノズルユニット
２２    熱交換器
２６    タンク
３１    ノズル（局部洗浄ノズル）
３２    ノズル洗浄室（ノズル洗浄部）
３３    流路切替弁（流路切替部）
３４    ノズル支持体
３８    モータ（駆動源）
５１    ユニット給水チューブ（第１の給水チューブ）
５２    ノズル洗浄用チューブ（第２の給水チューブ）
５３    ワイヤハーネス（流路切替部用電線）
７０    支持体本体部
７１    ノズル支持面部
７２    基台部
１００  線状部材保持部
１０２  チューブ用保持部
１０３  電線用保持部
１３０  保持本体部
１３１  支持板部（仕切部）
１５１  係合片部（係合部）
１５２  嵌合板部（嵌合部）
１５３  係止突片部（被係合部）
１５４  嵌合溝部（被嵌合部）
【図１】
2020133305.tif 000003
【図２】
2020133305.tif 000004
【図３】
2020133305.tif 000005
【図４】
2020133305.tif 000006
【図５】
2020133305.tif 000007
【図６】
2020133305.tif 000008
【図７】
2020133305.tif 000009
【図８】
2020133305.tif 000010
【図９】
2020133305.tif 000011
【図１０】
2020133305.tif 000012
【図１１】
2020133305.tif 000013
【図１２】
2020133305.tif 000014
【図１３】
2020133305.tif 000015
【図１４】
2020133305.tif 000016
【図１５】
2020133305.tif 000017
【図１６】
2020133305.tif 000018
【図１７】
2020133305.tif 000019
【図１８】
2020133305.tif 000020
【図１９】
2020133305.tif 000021
【図２０】
2020133305.tif 000022
【図２１】
2020133305.tif 000023
【図２２】
2020133305.tif 000024
【図２３】
2020133305.tif 000025